(57)【要約】【課題】ユーザは１度にダビングされた複数の記録媒体に閉じた範囲内への参照は可能であるが、違う機会にダビングされた記録媒体への参照ができない。【解決手段】本発明は、過去に記録した記録媒体への参照情報を保持する参照情報保持部と、過去に記録した参照情報に今回記録する記録媒体に関する参照情報を含ませるように参照情報を再構成する参照情報再構成部とを備え、参照情報再構成処理によって再構成された参照情報を記録媒体に記録する。このため、ユーザは煩雑な作業を行わなくても、任意の記録媒体から、違う機会に記録した記録媒体への参照が可能になる。【選択図】図１
2012014748.tif 000002
【特許請求の範囲】
【請求項１】
複数の記録媒体にデータを記録する装置であって、
映像信号や、映像信号から画像圧縮した情報であるＡＶストリーム情報や、各記録媒体の識別情報と記録した内容の情報を持つ参照情報を含むデータを外部と入出力し、入力されたデータを記録制御部に渡す入出力部と、
映像信号が記録制御部より入力された映像信号からＡＶストリーム情報を生成し、ＡＶストリーム保持部に入力する映像信号エンコード部と、
前記映像信号エンコード部より入力されたＡＶストリーム情報を保持するＡＶストリーム保持部と、
参照情報を、異なる機会に記録した記録媒体へも検索可能となるように再構成し、参照情報保持部に入力する参照情報再構成部と、
前記参照情報再構成部より入力された参照情報を保持する参照情報保持部と、
記録媒体にＡＶストリーム情報と参照情報を記録する際は、前記ＡＶストリーム保持部に保持されるＡＶストリーム情報や、前記参照情報保持部に保持される参照情報を前記入出力部に入力し、また、前記入出力部より入力された映像信号を画像圧縮する際は、前記映像信号エンコード部に入力する記録制御部と
を備えることを特徴とする映像記録装置。
【請求項２】
複数の記録媒体にデータを記録する装置であって、
映像信号や、ＡＶストリーム情報や、参照情報を含むデータを外部と入出力し、入力されたデータを記録再生制御部に渡す入出力部と、
映像信号が前記記録再生制御部より入力された映像信号からＡＶストリーム情報を生成し、ＡＶストリーム保持部に入力する映像信号エンコード部と、
前記映像信号エンコード部より入力されたＡＶストリーム情報を保持するＡＶストリーム保持部と、
参照情報を、異なる機会に記録した記録媒体へも検索可能となるように再構成し、参照情報保持部に入力する参照情報再構成部と、
前記参照情報再構成部より入力された参照情報を保持する参照情報保持部と、
グラフィクスの表示構成を記述した情報であるグラフィクス表示情報を保持するグラフィクス表示情報保持部と、
記録媒体にＡＶストリーム情報と参照情報を記録する際は、前記ＡＶストリーム保持部に保持されるＡＶストリーム情報や、前記参照情報保持部に保持される参照情報を入出力部に入力し、前記入出力部より入力された映像信号を画像圧縮する際は、映像信号を映像信号エンコード部に入力し、ＡＶストリームを再生する際は、前記入出力部より入力されたＡＶストリーム情報、もしくは、前記ＡＶストリーム保持部に保持されているＡＶストリーム情報をＡＶデコード部に入力し、また、グラフィクスを表示させる際は、前記グラフィクス表示情報保持部に保持されているグラフィクス表示情報と文字列を前記グラフィクス生成部に入力する記録再生制御部と、
前記記録再生制御部より入力されたＡＶストリーム情報をデコードし、映像信号を生成する映像信号デコード部と、
前記記録再生制御部より入力されたグラフィック表示情報を入力し、グラフィクス映像信号を生成するグラフィクス生成部と、
前記ＡＶストリームデコード部が生成した映像信号と、前記グラフィクス生成部が生成したグラフィクス映像信号を合成し、合成した映像信号を表示出力部に入力する映像合成部と
を備えることを特徴とする映像記録装置。
【請求項３】
前記入出力部から前記記録制御部に入力され、さらに前記記録制御部から入力された参照情報と前記参照情報保持部が保持している参照情報を比較し、前記入出力部より入力された参照情報がより新しい場合は前記参照情報保持部が保持する参照情報を更新するために前記参照情報保持部に前記入出力部より入力された参照情報を入力し、前記参照情報保持部が保持する参照情報がより新しい場合は前記入出力部に入力された参照情報を更新することを目的に前記記録制御部から前記入出力部に入力するために、前記参照情報保持部が保持する参照情報を前記記録制御部に入力する参照情報同期部を備えることを特徴とする、
請求項１の映像記録装置。
【請求項４】
前記入出力部から前記記録再生制御部に入力され、さらに前記記録再生制御部から入力された参照情報と前記参照情報保持部が保持している参照情報を比較し、前記入出力部より入力された参照情報がより新しい場合は前記参照情報保持部が保持する参照情報を更新するために前記参照情報保持部に前記入出力部より入力された参照情報を入力し、前記参照情報保持部が保持する参照情報がより新しい場合は前記入出力部に入力された参照情報を更新することを目的に前記記録再生制御部から入出力部に入力するために、前記参照情報保持部が保持する参照情報を前記記録再生制御部に入力する参照情報同期部を備えることを特徴とする、
請求項２の映像記録装置。
【請求項５】
映像信号や、各記録媒体の識別情報と記録した内容情報を持つ参照情報や、映像信号から画像圧縮した情報であるＡＶストリーム情報を含むデータを外部と入出力する入出力部と入力されたデータを記憶する記憶部とを備える、複数の記録媒体にデータを記録する処理をコンピュータに行わせるプログラムにおいて、
前記入出力部より入力された映像信号からＡＶストリーム情報を生成し、前記記憶部に入力する映像信号エンコードステップと、
参照情報を、異なる機会に記録した記録媒体へも検索可能となるように再構成し、前記記憶部に入力する参照情報再構成ステップと
を備えることを特徴とする映像記録プログラム。
【請求項６】
映像信号や、各記録媒体の識別情報と記録した内容情報を持つ参照情報や、映像信号から画像圧縮した情報であるＡＶストリーム情報を含むデータを外部と入出力する入出力部と入力されたデータを記憶する記憶部とを備える、複数の記録媒体にデータを記録する処理をコンピュータに行わせるプログラムにおいて、
前記入出力部より入力された映像信号からＡＶストリーム情報を生成し、前記記憶部に入力する映像信号エンコードステップと、
参照情報を、異なる機会に記録した記録媒体へも検索可能となるように再構成し、前記記憶部に入力する参照情報再構成ステップと、
ＡＶストリーム情報をデコードし、映像信号を生成する映像信号デコードステップと、
グラフィック表示情報を入力し、グラフィクス映像信号を生成するグラフィクス生成ステップと、
前記ＡＶストリームデコードステップにて生成した映像信号と、前記グラフィクス生成ステップにて生成したグラフィクス映像信号を合成する映像合成ステップと
を備えることを特徴とする映像記録プログラム。
【請求項７】
前記入出力部より入力された参照情報と前記記憶部が保持している参照情報を比較し、前記入出力部より入力された参照情報がより新しい場合は前記記憶部が保持する参照情報を更新するために前記記憶部の参照情報を前記入出力部より入力された参照情報に更新し、前記記憶部が保持する参照情報がより新しい場合は前記入出力部に入力された参照情報を更新するために記憶部が保持する参照情報を前記入出力部に入力する参照情報同期ステップを備えることを特徴とする
請求項５の映像記録プログラム。
【請求項８】
前記入出力部より入力された参照情報と前記記憶部が保持している参照情報を比較し、前記入出力部より入力された参照情報がより新しい場合は前記記憶部が保持する参照情報を更新するために前記記憶部の参照情報を前記入出力部より入力された参照情報に更新し、前記記憶部が保持する参照情報がより新しい場合は前記入出力部に入力された参照情報を更新するために記憶部が保持する参照情報を前記入出力部に入力する参照情報同期ステップを備えることを特徴とする
請求項６の映像記録プログラム。
【発明の詳細な説明】
【技術分野】
【０００１】
本発明は、ある記録媒体に記録された映像情報を１以上の記録媒体に記録し、かつ、記録された内容を管理する記録装置及び記録方法、プログラム及び集積回路に関するものである。
【背景技術】
【０００２】
プライベートに撮影した映像を録画する装置として、デジタルビデオカメラというものが知られている。近年、ＨＤＤ（Ｈａｒｄ  Ｄｉｓｃ  Ｄｒｉｖｅ）を内蔵したデジタルビデオカメラが普及し始めている。
【０００３】
ＨＤＤを内蔵することにより、例えば、ビデオテープやＤＶＤ（Ｄｉｇｉｔａｌ  Ｖｅｒｓａｔｉｌｅ  Ｄｉｓｋ）に映像を録画するデジタルビデオカメラと比べて、非常に大容量の映像を一度に録画することが可能になった。すでに市販されているデジタルビデオカメラの中には、数十ギガバイトの容量をもつＨＤＤを内蔵するものが存在する。
【０００４】
ＨＤＤを内蔵したデジタルビデオカメラの中には、ＨＤＤのみに撮影した映像を記録できるだけではなく、ＨＤＤに記録した映像をデジタルビデオカメラに着脱可能な他の記録媒体に記録する手段を有するものが存在する。
【０００５】
例えば、カード型の筐体に半導体メモリが格納されたメモリカード（例えば、ＳＤカード）に記録することができるデジタルビデオカメラが存在する。このデジタルビデオカメラは、メモリカードにデータの書き込み・読み込みを行う機構を備える。これにより、このデジタルビデオカメラは、メモリカードにデジタルビデオカメラに内蔵されたＨＤＤに記録された映像データを記録させる。
【０００６】
その他にも、例えば、ＤＶＤディスクに記録することができるデジタルビデオカメラが存在する。このデジタルビデオカメラは、ＤＶＤディスクにデータの書き込み・読み込みを行う光ディスクドライブを備える。これにより、このデジタルビデオカメラはＤＶＤディスクにデジタルビデオカメラに内蔵されたＨＤＤに記録された映像データを記録させる。
【０００７】
その他にも、例えば、光ディスクドライブを備え、光ディスクにデータの書き込み・読み込みを行うことができる光ディスクライターと接続できるデジタルビデオカメラが存在する。このデジタルビデオカメラは、例えば、ＵＳＢ（Ｕｎｉｖｅｒｓａｌ  Ｓｅｒｉａｌ  Ｂｕｓ）ケーブルにより光ディスクライターに接続し、ＵＳＢケーブルを経由して、ＨＤＤに記録された映像データを光ディスクに記録する。
【０００８】
デジタルビデオカメラは、所定の容量以上の映像データをＨＤＤに記録することはできない。しかしながら、上述したような手段により、ユーザは、デジタルビデオカメラに内蔵されたＨＤＤに記録された映像データを、例えば、メモリカードのような着脱可能な記録媒体にダビングすることができる。したがって、ユーザは、他の記録媒体にダビングした映像データを、内蔵したＨＤＤから消去し、新たな映像データをＨＤＤに記録することができる。
【０００９】
また、デジタルビデオカメラに内蔵されたＨＤＤに記録されている映像データをダビングする先である着脱可能な記録媒体も、所定の容量以上の映像データを記録することはできない。すなわち、ユーザはデジタルビデオカメラに内蔵されたＨＤＤに記録されている映像データを着脱可能な記録媒体にダビングする場合、複数の記録媒体に分割して映像データを記録する必要がある。
【００１０】
例えば、６０ギガバイト容量を持つＨＤＤを内蔵するデジタルビデオカメラがあったとする。このデジタルビデオカメラのＨＤＤには容量目一杯のデータが記録されているとする。そして、このデジタルビデオカメラが内蔵するＨＤＤに記録されているすべての映像データを、ＤＶＤディスクにダビングする場面を想定してみる。ＤＶＤディスクは１枚に記録できるデータ容量はおおよそ４．７ギガバイトであるので、６０ギガバイトの映像データをダビングするには１３枚のディスクが必要になる。つまり、１回のダビングによって、１０数枚のＤＶＤディスクに分割して記録する必要がある。したがって、複数回ダビングすることを考えると、ユーザは数１０枚という多数のディスクを管理することになる。つまり、ユーザはディスクの管理が大変煩雑になることが予想される。
【００１１】
例えば、ユーザがある特定のシーンを視聴したいと所望したとする。この要望にこたえるには、所望するシーンが記録されているＤＶＤディスクを数１０枚のＤＶＤディスクから探し出す、もしくは、多数のＤＶＤディスクに記録されている映像データの内容をユーザが把握する必要がある。これはユーザにとって、非常に煩雑であると言える。
【００１２】
上記のような煩雑さを解決する方法として、各記録媒体への参照情報（例えば、記録されている映像データの内容を一覧にしたインデックス情報など）を記録する毎に生成し、ダビングする映像データを記録する記録媒体各々に記録する方法などがある。
【００１３】
例えば、特許許文献１に記載された記録装置は参照情報として、各記録媒体の関連を管理する情報（例えば、再生する順番に関する情報）をダビング前に予め作成する。前記記録装置は、前記作成した情報をダビングする映像データを記録する記録媒体各々に記録する。これにより、特許文献１ではユーザは各記録媒体間の関連性を認識させ、多数の記録媒体を管理する煩雑さを解決している。
【特許文献１】特開２００７−１０８９５１号公報
【発明の開示】
【発明が解決しようとする課題】
【００１４】
上記のような方法は、ダビングする毎に同じ参照情報を生成し、複数の記録媒体に記録することを行う。よって、ユーザは１度にダビングされた複数の記録媒体の範囲内で管理することは可能である。しかし、上記の方法では違う機会にダビングされた記録媒体に関しては、１度目に生成された参照情報とは別の参照情報として、生成されてしまう。よって、上記のような方法では、１度目に記録した映像データと２度目に記録された映像データとが仮に関連したものであっても、１度目に記録した映像データと２度目に記録された映像データとを関連づけて管理することができない、という課題がある。
【００１５】
例えば、ある機会にダビングした複数の記録媒体のグループをグループＡ、違う機会にダビングした複数の記録媒体をグループＢと呼称するようにする。このような場合、上記従来の方法では、グループＡの範囲内で記録媒体を管理を行い、グループＢの範囲内で記録媒体の管理を行うことは可能である。しかし、上記従来の方法ではグループＡとグループＢの両方をまとめて、管理することができない。
【００１６】
本発明は、このような状況に鑑みてなされたものであり、異なる機会にダビングした記録媒体同士であっても管理、参照することができる方法を開示することを目的とする。
【課題を解決するための手段】
【００１７】
本発明は、複数の記録媒体にデータを記録する装置であって、映像信号や、映像信号から画像圧縮した情報であるＡＶストリーム情報や、各記録媒体の識別情報と記録した内容の情報を持つ参照情報を含むデータを外部と入出力し、入力されたデータを記録制御部に渡す入出力部と、映像信号が記録制御部より入力された映像信号からＡＶストリーム情報を生成し、ＡＶストリーム保持部に入力する映像信号エンコード部と、前記映像信号エンコード部より入力されたＡＶストリーム情報を保持するＡＶストリーム保持部と、参照情報を、異なる機会に記録した記録媒体へも検索可能となるように再構成し、参照情報保持部に入力する参照情報再構成部と、前記参照情報再構成部より入力された参照情報を保持する参照情報保持部と、記録媒体にＡＶストリーム情報と参照情報を記録する際は、前記ＡＶストリーム保持部に保持されるＡＶストリーム情報や、前記参照情報保持部に保持される参照情報を前記入出力部に入力し、また、前記入出力部より入力された映像信号を画像圧縮する際は、前記映像信号エンコード部に入力する記録制御部と
を備えることを特徴とする。
【発明の効果】
【００１８】
本発明では、今現在記録しようとしている記録媒体とは別の記録媒体であって、過去に記録した記録媒体への参照情報を参照できるようにしたので、ユーザは煩雑な作業を行わなくても、異なる機会にダビングした記録媒体同士であっても管理、参照することができるようになるという効果を有する。
【発明を実施するための最良の形態】
【００１９】
以下本発明の実施の形態について、図面を参照しながら説明する。
【００２０】
（実施の形態１）
図１は、本発明の実施の形態１における映像記録装置の構成を示すブロック図である。映像記録装置１は、撮影した映像情報を記録する装置であって、光ディスクドライブ１０と、光ディスク２０、カメラ部３０と、入出力部４０と、記録制御部５０と、ＡＶストリーム保持部６０と、映像情報エンコード部７０と参照情報保持部８０と、参照情報再構成部９０とを備える。本図に示す映像記録装置１は、光ディスク２０が着脱可能である。入出力部４０は外部から入力された情報を記録制御部５０に出力し、また、記録制御部５０から入力されたデータを外部に出力する、入出力インタフェースである。光ディスクドライブ１０は、入出力部４０に接続され、情報を記録する記録媒体である光ディスク２０にアクセスする。光ディスクドライブ１０は、光ディスク２０に記録されている情報の読み込み、情報の書き込みを行う機構である。カメラ部３０は入出力部４０に接続され、撮影した映像を映像信号として、入出力部４０に入力する。
【００２１】
また、実施の形態１の映像記録装置１は、光ディスクドライブ１０とカメラ部３０を装置に内蔵するように構成したが、映像記録装置１の外部に構成するようにしても良い。
【００２２】
映像記録装置１の本体に取り付けられた撮影開始ボタン（図示しない）が印加されると、撮影開始要求を示す信号が入出力部４０に通知される。入出力部４０は撮影開始要求を示す信号を受け取ると記録制御部５０に記録開始要求を通知する。記録制御部５０は、映像記録装置１全体の制御に関する処理を行う。記録制御部５０は記録開始要求の通知を受けると、映像信号エンコード部７０にエンコード処理に必要な情報を設定する。この情報には記録する信号の品質に関するパラメータであるビットレートなどが含まれる。ＡＶストリーム保持部６０はＡＶストリーム情報を保持する。ＡＶストリーム保持部６０では、１回の撮影で記録する映像を１つのＡＶストリームとし、ファイル単位で保持する。記録制御部５０はＡＶストリーム保持部６０にＡＶストリーム情報を格納するためのファイルを作成するように指示を出す。これにより、ＡＶストリーム保持部６０はファイルを作成し、オープン状態にする。
【００２３】
次に、記録制御部５０はカメラ部３０より入出力部４０に入力される映像信号を、随時、映像信号エンコード部７０に入力する処理を開始する。映像情報エンコード部７０は、記録制御部５０によって、随時入力される映像信号をＡＶストリーム情報にエンコードする。ＡＶストリーム情報のフォーマットは、例えば、ＭＰＥＧ−２のフォーマットとしてもよい。映像信号エンコード部７０によってエンコードされたＡＶストリーム情報は、ＡＶストリーム保持部６０に出力される。ＡＶストリーム情報が入力されると、ＡＶストリーム保持部６０は、入力されたＡＶストリーム情報を記録制御部５０によって作成を指示されたファイルに書き込む。
【００２４】
映像記録装置１の本体に取り付けられた撮影停止ボタン（図示しない）が印加されると、撮影停止要求を示す信号が入出力部４０に通知される。入出力部４０は撮影開始要求を示す信号を受け取ると記録制御部５０に記録開始要求を通知する。記録制御部５０は記録停止要求の通知を受けると、入出力部４０に入力された映像信号を映像信号エンコード部７０に入力する処理を停止する。
【００２５】
次に、記録制御部５０は記録のファイナライズ処理を行う。すなわち、ＡＶストリーム保持部６０にファイルのクローズ要求を出し、ファイルへの書き込みを終了する。記録制御部５０よりファイルのクローズ要求が通知されると、ＡＶストリーム保持部６０はファイルをクローズする。
【００２６】
次に、ＡＶストリーム保持部６０に保持されているＡＶストリーム情報を光ディスク２０にダビングする、ダビング処理を説明する。
【００２７】
実施の形態１においては、ダビングを行う対象の全てのＡＶストリーム情報がＡＶストリーム保持部６０に保持されているものとする。参照情報保持部８０は参照情報を保持する。実施の形態１の参照情報保持部８０は、ダビングが行われるまで、参照情報を保持しないものとする。参照情報再構成部９０は、参照情報保持部８０が保持する参照情報を取得できる。また、参照情報再構成部９０は過去に記録した参照情報に今回記録する記録媒体に関する参照情報を含ませるように参照情報を再構成する。
【００２８】
図２は、ダビング処理をフローチャート化したものである。ステップＳ１００において、記録制御部５０はＡＶストリーム保持部６０に問い合わせを行い、ダビングする全ＡＶストリームの容量（Ｔｏｔａｌ＿Ａｍｏｕｎｔと呼称）、すなわち、データの総バイト数を算出する。記録制御部５０はＴｏｔａｌ＿Ａｍｏｕｎｔを基に、ダビングにディスクが何枚必要かを計算する。計算方法としては、取得したＴｏｔａｌ＿ＡｍｏｕｎｔをＤＶＤ１枚に記録できる容量である４．７ＧＢで除算することで求めることができる。このとき、除算の計算結果に余りが存在する場合は、商の値に１つ加算する。
【００２９】
ステップＳ１１０において、ユーザによって、ダビングするための光ディスク２０が光ディスクドライブ１０に挿入されるまで待つ。また、ステップＳ１１０において、光ディスク２０をおくトレイを自動的にオープンし、ユーザによる光ディスク２０の挿入を促すようにしてもよい。光ディスク２０が挿入されると、ダビング処理は次のステップに遷移する。
【００３０】
また、ディスクが挿入されたとき、光ディスク２０の空き容量を計算するようにしてもよい。この場合、まず、記録制御部５０は光ディスクドライブ１０に問い合わせを行い、光ディスク２０の残容量を取得する。次に、記録制御部５０は、光ディスク２０の残容量が想定していた容量（例えば、ＤＶＤを想定する場合、４．７ギガバイト）よりも少ないかどうかを判定し、少ないと判定した場合は、エラーを表示するなどの処理を行ってもよい。
【００３１】
ステップＳ１２０において、光ディスク２０のフォーマット処理を行う。記録制御部５０は光ディスクドライブ１０に光ディスク２０のフォーマット処理を依頼する。、依頼を受けた光ディスクドライブ１０は光ディスク２０のフォーマット処理を行う。光ディスク２０のフォーマット処理とは、光ディスク２０の初期化処理とデータ管理情報であるファイルシステム情報を光ディスク２０に記録する処理を行う処理のことである。
【００３２】
ステップＳ１２０で光ディスク２０のフォーマット処理が終了すると、次の処理を行う。すなわち、ステップＳ１３０において、記録制御部５０はＡＶストリーム保持部６０にアクセスし、記録するＡＶストリームを取得する。次にステップＳ１４０において、記録制御部５０はＡＶストリームを光ディスク２０に記録するために、記録するＡＶストリームを光ディスクドライブ１０に出力する、光ディスクドライブ１０は入力されたＡＶストリームを、光ディスク２０に書き込む。光ディスク２０への書き込み処理が終了すると、ステップＳ１５０に遷移し、参照情報の再構成を行う参照情報再構成処理を行う。
【００３３】
実施の形態１における参照情報は、図３のように定義する。すなわち、参照情報はバージョンナンバー、総ディスク枚数、ディスク識別ＩＤ、ディスク参照キーワード、ＡＶファイル数、ＡＶストリームファイル名から構成される。バージョンナンバーは、どの機会にダビングされたディスクであるかを示す変数である。総ディスク枚数は過去にダビングしたディスクの合計の枚数、すなわち、当該の参照情報によって参照可能なディスクの枚数を示す変数である。
【００３４】
ディスク識別ＩＤはダビングされた各ディスクを識別するための識別子である。また、ディスク参照キーワードはダビングされた各ディスクを参照するために必要なキーワードを示す。そして、ＡＶファイル数は当該のディスクに記録されているＡＶストリームファイルの総数を示す。ＡＶストリームファイル名はディスクに記録されているＡＶストリームファイルのファイル名を示す。各ディスクには、記録されるＡＶファイルの総数分のＡＶストリームファイル名がリスト化され、記録されている。
【００３５】
図４は参照情報再構成処理をフローチャート化したものである。ステップＳ５００において、まず、参照キーワード作成処理を行う。参照キーワードとは、各ディスクを参照するためのキーワードである、ディスク識別ＩＤとディスク参照キーワードからなる。ディスク識別ＩＤは各ディスクを識別するためのキーワードであり、ディスク参照キーワードはディスクの記録内容を記述するキーワードである。実施の形態１における映像記録装置１は、キーワードをユーザに決定してもらう。映像記録装置１は、本体に取り付けられたボタン（図示しない）を利用して、ユーザにキーワードを入力してもらうことによって、キーワードを作成する。
【００３６】
図５は参照キーワード作成処理をフローチャート化したものである。ステップＳ６００において、ユーザが入力した文字列を受け取り、ディスク参照キーワードを作成する。ユーザによって入力された文字列が入出力部４０に入力されると、入出力部４０は入力された文字列を記録制御部５０に出力する。記録制御部５０は入力された文字列を参照情報再構成部９０に入力する。参照情報再構成部９０は入力した文字列を、ディスク参照キーワードを作成するまでの間、一時的に保持する。ステップＳ６１０において、参照情報再構成部９０はユーザが入力した文字列を受け取り、ディスク識別ＩＤを作成する。ユーザによって入力された文字列を入出力部４０に入力されると、入出力部４０は入力された文字列を記録制御部５０に入力し、記録制御部５０は入力された文字列を参照情報再構成部９０に入力する。参照情報再構成部９０は入力した文字列を、ディスク識別ＩＤを作成するまでの間、一時的に保持する。
【００３７】
次に、ステップＳ５１０において、記録制御部５０は参照キーワードを参照情報再構成部９０に入力し、参照情報の再構成を依頼する。ステップＳ５２０において、参照情報再構成部９０は記録制御部５０より参照情報の再構成を依頼されると、参照情報保持部８０に対して、参照情報が保持されているかを問い合わせる。ステップＳ５３０において、ステップＳ５２０における問い合わせの結果を基に処理を分岐させる。参照情報保持部８０が参照情報を保持していない場合は、上記のようにダビングはまだ行われていないことになる。よって、この場合、参照情報再構成部９０はステップＳ５７０の参照情報を新規作成する処理に遷移する。参照情報保持部８０が参照情報を保持している場合は、ステップＳ５４０の参照情報を再構成する処理に遷移する。
【００３８】
ステップＳ５７０において、参照情報再構成部９０は参照情報を新規に作成する。実施の形態１の参照情報再構成部９０は、バージョンナンバーには、最初から数えて何番目にダビングされたものなのかを示す数字、すなわち、今までに実施したダビングの回数を設定する。よって、新規に作成する場合には”１”をバージョンナンバーに設定する。また、実施の形態１の参照情報再構成部９０は、ディスク識別ＩＤにはステップＳ５００の参照キーワード作成処理においてユーザが入力したディスク識別の文字列を設定する。同様に、参照情報再構成部９０はディスク参照キーワードに、ステップＳ５００の参照キーワード作成処理において、ユーザが入力した参照キーワードを設定する。
【００３９】
例えば、ステップＳ５００の参照キーワード作成処理において、ディスクを識別する文字列として、ユーザは”２００８０９１２”を入力したとする。この場合、参照情報再構成部９０はディスク識別ＩＤには”２００８０９１２”を設定する。また、ステップＳ５００の参照キーワード作成処理において、ユーザが入力した参照キーワードが”長女・幼稚園の年長さんのときの運動会”であったとする。この場合、参照情報再構成部９０はディスク参照キーワードには”長女・幼稚園の年長さんのときの運動会”を設定する。
【００４０】
以上で記載したように参照情報の各変数を設定すると、図６に示すような参照情報を作成できる。
【００４１】
ステップＳ５８０において、参照情報再構成部９０はステップＳ５７０にて作成した参照情報を参照情報保持部８０に書き込む。
【００４２】
ステップＳ５４０において、参照情報再構成部９０は参照情報保持部８０にアクセスして、参照情報を取得する。
【００４３】
次にステップＳ５５０において、参照情報再構成部９０は参照情報を再構成する。説明のため、ステップＳ５００の参照キーワード作成処理において、ユーザは、ディスク識別ＩＤとして”２００９０３３０”を入力し、ディスク参照キーワードとして”北海道旅行”を入力したと仮定しよう。この場合、参照情報再構成部９０はステップＳ５２０にて取得した参照情報（例えば、上記の図６の参照情報）を基に、図７の参照情報を作成する。参照情報再構成部９０は各ディスクのディスク参照情報が配列構造となるように参照情報を再構成する。すなわち、図６の参照情報のディスク参照情報の後ろに新しくディスク参照情報を作成し、新しく作成したディスク参照情報の各メンバに値を設定する。すなわち、参照情報再構成部９０はディスク識別ＩＤに”２００９０３３０”を設定し、ディスク参照キーワードに”北海道旅行”を設定する。次に、参照情報の総ディスク枚数の値をステップＳ５２０にて取得した参照情報の総ディスク枚数に今回ダビングするディスクの枚数（ステップＳ１００にて得られる）を足し合わせた和の値に更新する。また、参照情報再構成部９０は参照情報のバージョンナンバーをステップＳ５２０にて取得した参照情報のバージョンナンバーの値にひとつインクリメントした値に更新する。
【００４４】
ステップＳ５６０において、参照情報再構成部９０は参照情報保持部８０にアクセスし、参照情報保持部８０が保持する参照情報をステップＳ５５０にて作成した参照情報で上書きする。
【００４５】
参照情報再構成処理が終了すると、ダビング処理はステップＳ１６０に遷移する。ステップＳ１６０において、記録制御部５０は参照情報保持部８０にアクセスし、ステップＳ１５０で再構成した参照情報を取得する。ステップＳ１７０において、光ディスク２０に参照情報を書き込む。記録制御部５０は入出力部４０にステップＳ１６０にて取得した参照情報を出力し、光ディスクへの書き込みを依頼する。入出力部４０は、光ディスクドライブ１０に記録制御部５０より入力した参照情報を光ディスクドライブ１０に入力し、光ディスクドライブ１０に書き込み処理を依頼する。光ディスクドライブ１０は参照情報の光ディスク２０への書き込み依頼を受け取ると、光ディスクドライブ１０に参照情報を書き込む。
【００４６】
ステップＳ１８０において、全てのディスクへのダビングが完了したかどうかを判定し、処理を分岐させる。すなわち、全てのディスクへのダビングが完了した場合は、ダビング処理を終了し、全てのディスクへのダビングが完了していない場合は、ステップＳ１１０に遷移する。
【００４７】
次に、ダビングしたディスクに記録されているＡＶストリーム情報を再生する方法を説明する。
【００４８】
実施の形態１における、再生装置１００を図８に図示する。再生制御部１１０は再生装置１００における再生制御を司るブロックである。図８において、図１と同じ構成要素については同じ符号を用い、説明を省略する。ＡＶストリームデコード部１２０は、ＡＶストリーム情報を映像信号にデコードし、映像信号を生成する。デコードするＡＶストリーム情報は、記録再生制御部５０がＡＶストリームデコード部１２０に入力する。記録再生制御部１５５は記録したＡＶストリーム情報を保持するＡＶストリーム保持部６０から再生するＡＶストリーム情報を取得し、ＡＶストリームデコード部１２０に入力する。ＡＶストリームデコード部１２０は、生成した映像信号を映像合成部１３０に出力する。グラフィクス生成部１４０は、グラフィクスの表示イメージであるグラフィクス画像信号を生成し、画像合成部１３０に出力する。
【００４９】
グラフィクス生成部１４０は、表示する文字列と表示する文字列を表示するための制御情報であるグラフィクス表示情報を基に、グラフィクスを生成する。実施の形態１のグラフィクス表示情報は図９に示す変数を持つものとする。すなわち、グラフィクス表示情報は、グラフィックスの表示領域であるウィンドウの表示位置を示すｗｉｎｄｏｗ＿ｏｒｉｇｉｎ＿ｈｏｒｉｚｏｎｔａｌ＿ｐｏｓｉｔｉｏｎ（水平方向）とｗｉｎｄｏｗ＿ｏｒｉｇｉｎ＿ｖｅｒｔｉｃａｌ＿ｐｏｓｉｔｉｏｎ（垂直方向）と、ウィンドウの表示領域を示すｗｉｎｄｏｗ＿ｈｅｉｇｈｔとｗｉｎｄｏｗ＿ｗｉｄｔｈと、表示するオブジェクト（文字列）の表示位置を示すｏｂｊｅｃｔ＿ｏｒｉｇｉｎ＿ｈｏｒｉｚｏｎｔａｌ＿ｐｏｓｉｔｉｏｎ（水平方向）とｏｂｊｅｃｔ＿ｏｒｉｇｉｎ＿ｖｅｒｔｉｃａｌ＿ｐｏｓｉｔｉｏｎ（垂直方向）と、表示するオブジェクト（文字列）の表示領域を示すｏｂｊｅｃｔ＿ｈｅｉｇｈｔとｏｂｊｅｃｔ＿ｗｉｄｔｈと、オブジェクトの表示領域に表示する文字列と、表示する文字のフォントのタイプを表すｆｏｎｔ＿ｔｙｐｅと、文字の大きさを示すｆｏｎｔ＿ｓｉｚｅとから構成される。
【００５０】
グラフィクス生成部１４０はグラフィクス表示情報によって、ウィンドウの表示位置と、ウィンドウの表示領域、文字列の表示位置と、文字列の表示領域、文字のフォント、文字の大きさを認識し、グラフィクスを生成し、グラフィクス画像信号を出力する。グラフィクス画像信号は、例えば、ピクセルの色情報をＲＧＢカラーモデルで表現したビットマップイメージとしてもよい。
【００５１】
なお、実施の形態１において、グラフィクス表示情報はグラフィクス表示情報保持部１４５に保持される。
【００５２】
映像合成部１３０は、ＡＶストリームデコード１２０から入力された映像信号とグラフィクス生成部１４０から入力されたグラフィクス映像信号を合成し、合成した信号を表示部１５０に出力する。表示部１５０はモニタ等を持ち、入力され信号に基づいて、映像を表示する。映像合成部１３０は、表示部１５０の表示画面上において、映像が表示される領域以外の余白の領域に黒ミュートがかかるように映像信号を合成して、表示部１５０に出力してもよい。
【００５３】
なお、映像合成部１３０にグラフィクス映像信号が入力されない場合、映像合成部１３０はＡＶデコード部８０によってデコードされた映像信号のみを表示部１５０に出力するようにしても良い。また、ＡＶデコード部８０によってデコードされた映像信号が映像合成部１３０に入力されない場合、映像合成部１３０はグラフィクス映像信号のみを表示部１５０に出力するようにしても良い。表示部１５０は映像合成部１３０によって入力された映像信号の映像を表示する。
【００５４】
再生制御部１１０はまず、再生するＡＶストリーム情報を取得する。再生制御部１１０は入出力部４０に光ディスクからＡＶストリーム情報を読み込む依頼を出す。入出力部４０は、記録再生制御部からの依頼があると、光ディスクドライブ１０に光ディスク２０からＡＶストリーム情報の読み込みを依頼する。読み込み依頼があると、光ディスクドライブ１０は光ディスク２０からＡＶストリーム情報の読み出し、入出力部４０に入力する。入出力部４０は入力されたＡＶストリーム情報を再生制御部１１０に出力する。次に、再生制御部１１０はＡＶストリーム情報をＡＶストリームデコード部１２０に出力する。ＡＶストリームデコード部１２０は入力されたＡＶストリーム情報を映像信号にデコードし、動画映像合成部１３０に出力する。映像合成部１３０は、グラフィクス生成部１４０からグラフィック映像信号を入力されていない場合は、ＡＶストリームデコード部１２０から入力された映像信号のみを表示部１５０に出力する。
【００５５】
次にユーザに各ディスクへの参照情報を表示する方法を示す。まず、再生制御部１１０は再生する参照情報を取得する。すなわち、再生制御部１１０は入出力部に対して、光ディスク２０からのデータ読み込みを依頼する。依頼を受けると入出力部は光ディスクドライブ１０に光ディスク２０から参照情報の読み込みを依頼する。読み込み依頼があると、光ディスクドライブ１０は光ディスク２０から参照情報を読み出し、記録再生制御部５０に出力する。
【００５６】
実施の形態１では、ダビングしたディスク毎に、参照情報を表示する。各ディスクへの参照情報は、グラフィクス生成部１４０によって参照情報を表示するグラフィクス映像信号を生成し、最終的には表示部１５０に表示する。実施の形態１では、各ディスクへの参照情報を表示するグラフィクス映像信号を作成するためのグラフィクス表示情報は、予め準備されたグラフィクス表示情報と、参照情報内に記述された参照キーワードの文字列を組み合わせて作成される。また、予め準備されたグラフィクス表示情報はグラフィクス参照情報保持部１４５に保持される。
【００５７】
再生制御部１１０は、グラフィクス表示情報保持部１４５から予め準備されたグラフィクス表示情報を取得する。さらに、再生制御部１１０は、取得した参照情報から再生中のディスクに対応するディスク参照情報のディスク識別ＩＤの文字列と、ディスク参照キーワードの文字列と、予め準備されたグラフィクス表示情報とを組み合わせて、表示用のグラフィクス表示情報を作成する。再生制御部１１０は作成したグラフィクス表示情報をグラフィクス生成部１４０に出力する。
【００５８】
グラフィクス生成部１４０は再生制御部１１０から入力されたグラフィクス表示情報を基にグラフィック映像信号を生成し、映像合成部１３０に出力する。グラフィクス生成部１４０は記録再生制御部１５５からグラフィクス表示情報を基にグラフィック映像信号を生成し、映像合成部１３０に出力する。映像合成部１３０に、ＡＶデコード部８０によってデコードされた映像信号が入力されていない場合、映像合成部１３０はグラフィクス映像信号のみを表示部１５０に出力する。映像合成部１３０に、ＡＶデコード部８０によってデコードされた映像信号が入力されている場合、映像合成部１３０は映像信号とグラフィクス映像信号を合成し、合成後の信号を表示部１５０に出力する。
【００５９】
表示部１５０は、映像合成部１３０によって入力された映像信号の映像を表示する。例えば、光ディスク２０より取得された参照情報が図７のようであったなら、図２０のようなグラフィクスが１枚目のディスクの参照情報として表示される。参照情報を表示させる順番としては、例えば、最初にダビングしたディスクから表示し、映像記録装置１の本体に取り付けられたＮｅｘｔボタン（図示しない）が印加されると、ダビングした順番（昇順）に参照情報のグラフィクスを表示させてもよい。Ｎｅｘｔボタンが押されると次のディスクの参照情報、すなわち、参照情報内に記録されている２枚目のエントリーのディスク参照情報を基に２枚目のディスクの参照情報を表示するグラフィクスを、上記１枚目の場合と同様に生成する。任意のｉ番目の参照情報を表示される場合には、参照情報内に記録されているｉ番目のエントリーのディスク参照情報を基にグラフィクス表示情報を作成し、グラフィクス生成部１４０に入力する。これにより、ｉ枚目のディスクの参照情報を表示するグラフィクスを表示する。
【００６０】
以上のような一連のダビング処理を行うことにより、参照情報再構成部９０は過去に記録した参照情報に今回新しく記録する記録媒体に関する参照情報を含ませるように参照情報を再構成する。ユーザは煩雑な作業を行わなくても、映像記録装置１は参照情報再構成部９０によって再構成した参照情報をダビングする各ディスクに記録する。よって、記録媒体を再生する装置は、少なくとも前方方向への参照を保証することが可能となり、ユーザの利便性を向上することができる。
【００６１】
また、記録媒体を再生する装置は、記録媒体に記録している参照情報を用いて、参照情報を画面に表示する。よって、ユーザは、ダビングを行った前期の映像記録装置１と違う機器である、例えば、再生装置１００のような装置で再生させる場合においても他の記録媒体への検索が行うことができる。
【００６２】
（実施の形態２）
図１０は、本発明の実施の形態２における映像記録装置の構成を示すブロック図である。図１０において、図１、及び図８と同じ構成要素については同じ符号を用い、説明を省略する。
【００６３】
映像記録装置１５２は、撮影した映像情報を記録する装置である。また、記録した映像情報を再生する機能を備えている。
【００６４】
記録制御部５０は、映像記録装置１５２全体の制御に関する処理を行う。
【００６５】
実施の形態２における、参照情報を図１２に示す。実施の形態１との違いは、参照情報がグラフィクス表示情報を含むところである。
【００６６】
次に、ＡＶストリーム保持部６０に保持されているＡＶストリーム情報を光ディスク２０にダビングする、ダビング処理を説明する。
【００６７】
実施の形態２においては、ダビングを行う対象の全てのＡＶストリーム情報がＡＶストリーム保持部６０に保持されているものとする。
【００６８】
図１１は実施の形態３におけるダビング処理をフローチャート化した図である。図１１において、図２と同じ構成要素については同じ符号を用い、説明を省略する。
【００６９】
ステップＳ１９０において、記録制御部５０はグラフィクス表示情報保持部１４５にアクセスし、グラフィクス表示情報を取得する。記録制御部５０はステップＳ１６０において取得した参照情報のメンバ、グラフィクス表示情報に、グラフィクス表示情報保持部１４５より取得したグラフィクス表示情報を挿入する。
【００７０】
これにより、ステップＳ１７０において、光ディスク２０に書き込まれる参照情報にはグラフィクス表示情報保持部１４５より取得したグラフィクス表示情報が含まれるようになる。
【００７１】
実施の形態２における、再生装置１５３を図１３に図示する。
【００７２】
図１３において、図１と同じ構成要素については同じ符号を用い、説明を省略する。
【００７３】
実施の形態２のグラフィクス表示情報は実施の形態１と同様である。
【００７４】
実施の形態２において、参照情報の表示のために使われるグラフィクス表示情報は、光ディスク２０に記録されている参照情報のメンバであるグラフィクス表示情報を用いる。
【００７５】
再生制御部１１０はまず、再生するＡＶストリーム情報を取得する。再生制御部１１０は入出力部４０に光ディスクからＡＶストリーム情報を読み込む依頼を出す。入出力部４０は、記録再生制御部から依頼があると、光ディスクドライブ１０に光ディスク２０からＡＶストリーム情報の読み込みを依頼する。読み込み依頼があると、光ディスクドライブ１０は光ディスク２０からＡＶストリーム情報の読み出し、入出力部４０に入力する。入出力部４０は入力されたＡＶストリーム情報を再生制御部１１０に出力する。
【００７６】
次に、再生制御部１１０はＡＶストリーム情報をＡＶストリームデコード部１２０に出力する。
【００７７】
ＡＶストリームデコード部１２０は入力されたＡＶストリーム情報を映像信号にデコードし、映像合成部１３０に出力する。映像合成部１３０は、グラフィクス生成部１４０からグラフィック映像信号を入力されていない場合は、ＡＶストリームデコード部１２０から入力された映像信号のみを表示部１５０に出力する。
【００７８】
次にユーザに各ディスクへの参照情報を表示する方法を示す。
【００７９】
まず、再生制御部１１０は再生する参照情報を取得する。すなわち、再生制御部１１０は入出力部に対して、光ディスク２０からのデータ読み込みを依頼する。依頼を受けると入出力部は光ディスクドライブ１０に光ディスク２０から参照情報の読み込みを依頼する。読み込み依頼があると、光ディスクドライブ１０は光ディスク２０から参照情報を読み出し、再生制御部１１０に出力する。
【００８０】
実施の形態２では、ダビングしたディスク毎に、参照情報を表示する。各ディスクへの参照情報は、グラフィクス生成部１４０によって参照情報を表示するグラフィクス映像信号を生成し、最終的には表示部１５０に表示する。再生制御部１１０は、各ディスクへの参照情報を表示するグラフィクス映像信号を作成するためのグラフィクス表示情報として、光ディスク２０より取得した参照情報に含まれるグラフィクス表示情報を用いる。再生制御部１１０は取得した参照情報から再生中のディスクに対応するディスク参照情報のディスク識別ＩＤの文字列と、ディスク参照キーワードの文字列と、ディスクに記録されているグラフィクス表示情報とを組み合わせて、表示用のグラフィクス表示情報を作成する。
【００８１】
再生制御部１１０は作成したグラフィクス表示情報をグラフィクス生成部１４０に出力する。
【００８２】
グラフィクス生成部１４０は記録再生制御部５０から入力されたグラフィクス表示情報を基にグラフィック映像信号を生成し、映像合成部１３０に出力する。グラフィクス生成部１４０は再生制御部１１０から入力されたグラフィクス表示情報を基にグラフィック映像信号を生成し、映像合成部１３０に出力する。映像合成部１３０に、ＡＶデコード部８０によってデコードされた映像信号が入力されていない場合、映像合成部１３０はグラフィクス映像信号のみを表示部１５０に出力する。映像合成部１３０に、ＡＶデコード部８０によってデコードされた映像信号が入力されている場合、映像合成部１３０は映像信号とグラフィクス映像信号を合成し、合成後の信号を表示部１５０に出力する。
【００８３】
表示部１５０は、映像合成部１３０によって入力された映像信号の映像を表示する。例えば、光ディスク２０より取得された参照情報が図７のようであったなら、図２０のようなグラフィクスが１枚目のディスクの参照情報として表示される。参照情報を表示させる順番としては、例えば、最初にダビングしたディスクから表示し、映像記録装置１５２の本体に取り付けられたＮｅｘｔボタン（図示しない）が印加されると、ダビングした順番（昇順）に参照情報のグラフィクスを表示させてもよい。
【００８４】
Ｎｅｘｔボタンが押されると次のディスクの参照情報、すなわち、参照情報内に記録されている２枚目のエントリーのディスク参照情報を基に２枚目のディスクの参照情報を表示するグラフィクスを、上記１枚目の場合と同様に生成する。任意のｉ番目の参照情報を表示される場合には、参照情報内に記録されているｉ番目のエントリーのディスク参照情報を基に作成したグラフィクス表示情報とをグラフィクス生成部１４０に入力することにより、２枚目のディスクの参照情報を表示するグラフィクスを表示する。
【００８５】
以上のような一連のダビング処理を行うことにより、参照情報再構成部９０は過去に記録した参照情報に今回新しく記録する記録媒体に関する参照情報を含ませるように参照情報を再構成する。ユーザは煩雑な作業を行わなくても、映像記録装置１５２は参照情報再構成部９０によって再構成した参照情報をダビングする各ディスクに記録する。よって、記録媒体を再生する装置は、少なくとも前方方向への参照を保証することが可能となり、ユーザの利便性を向上することができる。
【００８６】
また、記録媒体を再生する装置は、記録媒体に記録している参照情報を用いて、参照情報を画面に表示する、よって、ユーザは、ダビングを行った前期の映像記録装置１５２と違う機器である、再生装置１５３にて記録媒体を再生される場合においても他の記録媒体への検索が行うことができる。
【００８７】
さらに、実施の形態２の映像記録装置１５２は、ディスクに記録する参照情報にグラフィクス表示情報を設定する。これにより、例えば、再生装置１５３のように、参照情報を画面に表示するためのグラフィクス表示情報を予め持たない装置においても、参照情報を画面に表示することができる。
【００８８】
（実施の形態３）
図１４は、本発明の実施の形態３における映像記録装置の構成を示すブロック図である。図１４において、図１、及び図８と同じ構成要素については同じ符号を用い、説明を省略する。
【００８９】
映像記録装置１５４は、撮影した映像情報を記録する装置である。また、映像記録装置１５４は、記録した映像情報を再生する機能を備えている。入出力部４０は撮影開始要求を示す信号を受け取ると記録再生制御部１５５に記録開始要求を通知する。記録再生制御部１５５は、映像記録装置１５４全体の制御に関する処理を行う。記録再生制御部１５５は入出力部４０より記録開始要求の通知を受けると、映像信号エンコード部７０にエンコード処理に必要な情報を設定する。この情報には記録する信号の品質に関するパラメータであるビットレートなどが含まれる。
【００９０】
記録再生制御部１５５はＡＶストリーム保持部６０にＡＶストリーム情報を格納するためのファイルを作成ように指示を出す。前期ＡＶストリーム保持部６０はファイルを作成し、オープン状態にする。次に、記録再生制御部１５５は、カメラ部３０より入出力部４０に入力された映像信号を、随時、映像信号エンコード部７０に入力する処理を開始する。
【００９１】
映像情報エンコード部７０は、入力された映像信号をＡＶストリーム情報にエンコードする。ＡＶストリーム情報のフォーマットは、例えば、ＭＰＥＧ−２のフォーマットとしてもよい。映像信号エンコード部７０によってエンコードされたＡＶストリーム情報は、ＡＶストリーム保持部６０に出力される。ＡＶストリーム情報が入力されるとＡＶストリーム保持部６０は、入力されたＡＶストリーム情報を記録再生制御部１５５によって作成を指示されたファイルに書き込む。
【００９２】
映像記録装置１５４の本体に取り付けられた撮影停止ボタン（図示しない）が印加されると、撮影停止要求を示す信号が入出力部４０に通知される。入出力部４０は撮影開始要求を示す信号を受け取ると記録再生制御部１５５に記録開始要求を通知する。記録再生制御部１５５は記録停止要求の通知を入出力部４０より受けると、カメラ部３０より入力部４０に入力された映像信号を映像信号エンコード部７０に転送する処理を停止する。
【００９３】
次に記録再生制御部１５５は記録のファイナライズ処理を行う。すなわち、ＡＶストリーム保持部６０はファイルをクローズし、ファイルへの書き込みを終了する。ＡＶストリームデコード部１２０は、ＡＶストリーム情報を映像信号にデコードし、映像信号を生成する。デコードするＡＶストリーム情報は、記録再生制御部５０がＡＶストリームデコード部１２０に入力する。記録再生制御部１５５は記録したＡＶストリーム情報を保持するＡＶストリーム保持部６０から再生するＡＶストリーム情報を取得し、ＡＶストリームデコード部１２０に入力する。
【００９４】
ＡＶストリームデコード部１２０は、生成した映像信号を映像合成部１３０に出力する。グラフィクス生成部１４０は、グラフィクス表示情報から、グラフィクス画像信号を生成し、画像合成部１３０に出力する。
【００９５】
実施の形態３におけるグラフィクス表示情報は、実施の形態１におけるグラフィクス表示情報と同様のものである。
【００９６】
実施の形態３において、グラフィクス表示情報はグラフィクス表示情報保持部１４５に保持される。
【００９７】
映像合成部１３０は、ＡＶストリームエンコード部７０から入力された映像信号とグラフィクス生成部１４０から入力されたグラフィクス映像信号を合成し、合成した信号を表示部１５０に出力する。表示部１５０はモニタ等を持ち、入力され信号に基づいて、映像を表示する。映像合成部１３０は、表示部１５０の表示画面上において、映像が表示される領域以外の余白の領域に黒ミュートがかかるように映像信号を合成して、表示部１５０に出力してもよい。
【００９８】
映像合成部１３０にグラフィクス映像信号が入力されない場合、映像合成部１３０はＡＶデコード部８０によってデコードされた映像信号のみを表示部１５０に出力するようにしても良い。また、ＡＶデコード部８０によってデコードされた映像信号が映像合成部１３０に入力されない場合、映像合成部１３０はグラフィクス映像信号のみを表示部１５０に出力するようにしても良い。表示部１５０は映像合成部１３０によって入力された映像信号の映像を表示する。
【００９９】
次に、ＡＶストリーム保持部６０に保持されているＡＶストリーム情報を光ディスク２０にダビングする、ダビング処理を説明する。
【０１００】
実施の形態３においては、ダビングを行う対象の全てのＡＶストリーム情報がＡＶストリーム保持部６０に保持されているものとする。
【０１０１】
図１５は実施の形態３におけるダビング処理をフローチャート化した図である。ステップＳ７００において、記録再生制御部１５５はＡＶストリーム保持部６０に問い合わせを行い、ダビングする全ＡＶストリーム情報の容量（Ｔｏｔａｌ＿Ａｍｏｕｎｔ）、すなわちデータの総バイト数を算出する。記録再生制御部１５５はＴｏｔａｌ＿Ａｍｏｕｎｔを基に、ダビングにディスクが何枚必要かを計算する。計算方法としては、取得したＴｏｔａｌ＿ＡｍｏｕｎｔをＤＶＤ１枚に記録できる容量である４．７ＧＢで除算することで求めてもよい。このとき、除算の計算結果に余りが存在する場合は、商の値に１つ加算する。
【０１０２】
ステップＳ７１０において、ユーザによって、ダビングするための光ディスク２０が光ディスクドライブ１０に挿入されるまで待つ。また、ステップＳ７１０において、光ディスク２０をおくトレイを自動的にオープンし、ユーザによる光ディスク２０の挿入を促すようにしてもよい。
【０１０３】
光ディスク２０が挿入されると、ダビング処理は次のステップに遷移する。ディスクが挿入されたとき、光ディスク２０の空き容量を計算するようにしてもよい。すなわち、記録再生制御部１５５は入出力部４０を介して、光ディスクドライブ１０に問い合わせを行い、光ディスク２０の残容量を取得する。このとき、記録再生制御部１５５は光ディスク２０の残容量が想定していた容量（例えば、ＤＶＤを想定する場合、４．７ギガバイト）よりも少ない場合は、エラーを表示するようにしてもよい。
【０１０４】
ステップＳ７２０において、光ディスク２０のフォーマット処理を行う。記録再生制御部１５５は入出力部４０に光ディスクのフォーマット処理を依頼する。入出力部４０は依頼を受けると、光ディスクドライブ１０に光ディスク２０のフォーマット処理を依頼する。依頼を受けた光ディスクドライブ１０は光ディスク２０のフォーマット処理を行う。
【０１０５】
ステップＳ７２０で光ディスク２０のフォーマット処理が終了すると、次の処理ステップに遷移する。ステップＳ７３０において、記録再生制御部１５５はＡＶストリーム保持部６０にアクセスし、記録するＡＶストリーム情報を取得する。次にステップＳ７４０において、記録再生制御部１５５はＡＶストリーム情報を光ディスク２０に記録するために、記録するＡＶストリーム情報を入出力部４０に出力する。入出力部４０は、記録再生制御部１５５によって入力されたＡＶストリーム情報を光ディスクドライブ１０に出力する。光ディスクドライブ１０は入力されたＡＶストリーム情報を、光ディスク２０に書き込む。
【０１０６】
光ディスク２０への書き込み処理が終了すると、ステップＳ７５０に遷移し、参照情報の再構成を行う参照情報再構成処理を行う。
【０１０７】
実施の形態３においての参照情報のフォーマットは実施の形態１と同様である。
【０１０８】
図１６は参照情報再構成処理をフローチャート化したものである。図１６において、図４と同じ構成要素については同じ符号を用い、説明を省略する。ステップＳ８００において、参照キーワード作成処理を行う。実施の形態３における参照キーワード作成処理では、ユーザにキーワードを入力してもらう際に、入力画面を作成する。
【０１０９】
図１７は参照キーワード作成処理をフローチャート化したものである。図１７において、図５と同じ構成要素については同じ符号を用い、説明を省略する。ステップＳ８２０において、ディスク参照キーワードをユーザに入力してもらうための入力画面を出画する。
【０１１０】
ステップＳ８２０にて使用する、表示する文字列とグラフィクス表示情報はグラフィクス表示情報保持部１４５に保持されている。記録再生制御部１５５はグラフィクス表示情報管理部１４５にアクセスして、グラフィクス表示情報を取得し、グラフィクス表示情報をグラフィクス部生成に入力する。
【０１１１】
グラフィクス生成部１４０は記録再生制御部１５５が入力したグラフィクス表示情報を基にグラフィック映像信号を生成し、映像合成部１３０に出力する。映像合成部１３０に、ＡＶデコード部８０によってデコードされた映像信号が入力されていない場合、映像合成部１３０はグラフィクス映像信号を表示部１５０に出力する。映像合成部１３０に、ＡＶデコード部８０によってデコードされた映像信号が入力されている場合、映像合成部１３０はＡＶデコード部８０によって入力された映像信号とグラフィクス生成部１００が入力したグラフィクス映像信号を合成し、合成後の映像信号を表示部１５０に出力する。
【０１１２】
表示部１５０は映像合成部１３０によって入力された映像信号の映像を表示する。ステップＳ８２０にて表示する入力画面として、例えば、図１８のような入力画面を表示してもよい。ステップＳ８３０において、ディスク識別ＩＤの文字列をユーザに入力してもらうための入力画面を出画する。記録再生制御部１５５は、表示する文字列とグラフィクス表示情報をグラフィクス表示情報保持部１４５より取得し、グラフィクス表示情報をグラフィクス部に入力する。
【０１１３】
グラフィクス生成部１４０は記録再生制御部１５５が入力したグラフィクス表示情報を基にグラフィック映像信号を生成し、映像合成部１３０に出力する。映像合成部１３０に、ＡＶデコード部８０によってデコードされた映像信号が入力されていない場合、映像合成部１３０はグラフィクス映像信号を表示部１５０に出力する。映像合成部１３０に、ＡＶデコード部８０によってデコードされた映像信号が入力されている場合、映像合成部１３０はＡＶデコード部８０によって入力された映像信号とグラフィクス生成部１００が入力したグラフィクス映像信号を合成し、合成後の映像信号を表示部１５０に出力する。ステップＳ８３０におけるディスク識別ＩＤの入力画面として、例えば、図１９のような入力画面を出画してもよい。
【０１１４】
次に、ステップＳ８１０において、記録再生制御部１５５はステップＳ８００にて作成された参照キーワードを参照情報再構成部９０に入力し、参照情報の再構成を依頼する。
【０１１５】
参照情報再構成処理が終了すると、ダビング処理はステップＳ７６０に遷移する。ステップＳ７６０において、記録再生制御部１５５は参照情報保持部８０にアクセスし、ステップＳ７５０で再構成した参照情報を取得する。ステップＳ７７０において、光ディスク２０に参照情報を書き込む。記録再生制御部１５５は入出力部４０に取ステップＳ７６０にて取得した参照情報を出力する。入出力部４０は、光ディスクドライブ１０に入力し、光ディスクドライブ１０に書き込み処理を依頼する。光ディスクドライブ１０は参照情報の光ディスク２０への書き込み依頼を受け取ると、光ディスクドライブ１０に参照情報を書き込む。ステップ７８０において、全てのディスクへのダビングが完了したかどうかを判定し、処理を分岐させる。すなわち、全てのディスクへのダビングが完了した場合は、ダビング処理を終了し、全てのディスクへのダビングが完了していない場合は、ステップＳ７１０に遷移する。
【０１１６】
次に、ダビングしたディスクに記録されているＡＶストリーム情報を再生する方法を説明する。
【０１１７】
記録再生制御部１５５は再生するＡＶストリーム情報を取得する。記録再生制御部１５５は入出力部４０に光ディスクからＡＶストリーム情報を読み込む依頼を出す。入出力部４０は、記録再生制御部からの依頼があると、光ディスクドライブ１０に光ディスク２０からＡＶストリーム情報の読み込みを依頼する。読み込み依頼があると、光ディスクドライブ１０は光ディスク２０からＡＶストリーム情報の読み出し、入出力部４０に入力する。入出力部４０は入力されたＡＶストリーム情報を記録再生制御部１５５に出力する。
【０１１８】
次に、記録再生制御部１５５はＡＶストリーム情報をＡＶストリームデコード部１２０に出力する。ＡＶストリームデコード部１２０は入力されたＡＶストリーム情報を映像信号にデコードし、動画映像合成部１３０に出力する。映像合成部１３０は、グラフィクス生成部１４０からグラフィック映像信号を入力されていない場合は、ＡＶストリームデコード部１２０から入力された映像信号のみを表示部１５０に出力する。
【０１１９】
次にユーザに各ディスクへの参照情報を表示する方法を示す。まず、記録再生制御部１５５は再生する参照情報を取得する。すなわち、記録再生制御部１５５は入出力部に対して、光ディスクからのデータ読み込みを依頼する。依頼を受けると入出力部は光ディスクドライブ１０に光ディスク２０から参照情報の読み込みを依頼する。読み込み依頼があると、光ディスクドライブ１０は光ディスク２０から参照情報を読み出し、記録再生制御部１５５に出力する。
【０１２０】
実施の形態３では、ダビングしたディスク毎に、参照情報を表示する。
【０１２１】
各ディスクへの参照情報は、グラフィクス生成部１４０によって参照情報を表示するグラフィクス映像信号を生成し、最終的には表示部１５０に表示する。
【０１２２】
実施の形態３では、各ディスクへの参照情報を表示するグラフィクス映像信号を作成するためのグラフィクス表示情報は、予め準備されたグラフィクス表示情報と、参照情報内に記述された参照キーワードの文字列を組み合わせて作成される。また、予め準備されたグラフィクス表示情報はグラフィクス参照情報保持部１４５に保持される。
【０１２３】
記録再生制御部１５５は、グラフィクス表示情報保持部１４５から予め準備されたグラフィクス表示情報を取得する。さらに、記録再生制御部１５５は取得した参照情報内の参照情報内のディスク識別ＩＤの文字列と参照情報内のディスク参照キーワードの文字列と予め準備されたグラフィクス表示情報とを組み合わせて、グラフィクス映像信号を生成するためのグラフィクス表示情報を作成する。記録再生制御部１５５はグラフィクス生成部１４０に、作成したグラフィクス表示情報をグラフィクス生成部１４０に出力する。
【０１２４】
グラフィクス生成部１４０は、記録再生制御部５０から入力されたグラフィクス表示情報を基にグラフィック映像信号を生成し、映像合成部１３０に出力する。グラフィクス生成部１４０は、記録再生制御部１５５からグラフィクス表示情報を基にグラフィック映像信号を生成し、映像合成部１３０に出力する。映像合成部１３０に、ＡＶデコード部８０によってデコードされた映像信号が入力されていない場合、映像合成部１３０は、グラフィクス映像信号のみを表示部１５０に出力する。映像合成部１３０に、ＡＶデコード部８０によってデコードされた映像信号が入力されている場合、映像合成部１３０は、映像信号とグラフィクス映像信号を合成し、合成後の信号を表示部１５０に出力する。
【０１２５】
表示部１５０は、映像合成部１３０によって入力された映像信号の映像を表示する。例えば、光ディスク２０より取得された参照情報が図７のようであったなら、図２０のようなグラフィクスが１枚目のディスクの参照情報として表示される。参照情報を表示させる順番としては、例えば、最初にダビングしたディスクから表示し、映像記録装置１５４の本体に取り付けられたＮｅｘｔボタン（図示しない）が印加されると、ダビングした順番（昇順）に参照情報のグラフィクスを表示させてもよい。
【０１２６】
Ｎｅｘｔボタンが押されると次のディスクの参照情報、すなわち、参照情報内に記録されている２枚目のエントリーのディスク参照情報を基に２枚目のディスクの参照情報を表示するグラフィクスを、上記１枚目の場合と同様に生成する。任意のｉ番目の参照情報を表示される場合には、まず、参照情報内に記録されているｉ番目のエントリーのディスク参照情報と、予め用意されたグラフィクス表示情報と基に、画面表示用のグラフィクス表示情報を作成する。次に再生したグラフィクス表示情報をグラフィクス生成部１４０に入力することにより、２枚目のディスクの参照情報を表示する。
【０１２７】
上記のように、ユーザは煩雑な作業を行わなくても、映像記録装置１５４は参照情報再構成部９０によって再構成した参照情報をダビングする各ディスクに記録する。よって、記録媒体を再生させる装置は、少なくとも前方方向への参照を保証することが可能となり、ユーザの利便性を向上することができる。
【０１２８】
また、以上で説明したように記録媒体に記録している参照情報を利用することによって、参照情報を画面に表示し、ユーザは他の記録媒体への参照が行うことができる。よって、記録媒体に記録されている参照情報を用いた参照情報の表示処理は、ダビングを行った前期の映像記録装置と違う映像記録装置でも行える。例えば、記録媒体へのダビングを行う映像記録装置を映像記録装置Ａと呼称し、映像記録装置Ａとは別の映像記録装置を映像記録装置Ｂと呼称する。また、映像記録装置Ａは各々違う機会に、記録媒体ａと記録媒体ｂ、及び記録媒体ｃに、記載の順番にダビング処理を行ったものとする。映像記録媒体Ｂは、記録媒体ｃを再生している場合は、記録媒体ａ、記録媒体ｂに対する参照情報を表示することが可能であり、記録媒体ｂを再生している場合は記録媒体ａの参照情報を表示できる。すなわち、ユーザは、ダビングされた記録媒体を、ダビングをされた記録媒体をダビングした映像記録装置とは別の映像記録装置で再生した場合でも、少なくとも前方方向への参照を行うことができる。また、同様に、ユーザは実施の形態１の再生装置１００のような機器においても他の記録媒体への検索が行うことができる。
【０１２９】
（実施の形態４）
図２１は、本発明の実施の形態４の映像記録装置１６０の構成図である。図２１において、図１４と同じ構成要素については同じ符号を用い、説明を省略する。
【０１３０】
実施の形態３においては、光ディスクを記録する内容の情報として、ユーザが入力した文字列を用いていたが、実施の形態４においては、ＪＰＥＧ（Ｊｏｉｎｔ  Ｐｈｏｔｏｇｒａｐｈｉｃ  Ｅｘｐｅｒｔｓ  Ｇｒｏｕｐ）データで表現されたサムネイルを用いる。
【０１３１】
実施の形態４において、カメラ部３０より入出力部４０に入力された映像信号の画像１つ分をキャプチャし、キャプチャした映像信号をＪＰＥＧエンコード部１７０にエンコードされることによって、ＪＰＥＧＪＰＥＧデータを生成する。カメラ部３０より入出力部４０に入力された映像信号は、入出力部４０によって、記録再生制御部１５５に入力される。記録再生制御部１５５は、映像信号の画像１つ分の信号をキャプチャしておき、当該のキャプチャした信号をＪＰＥＧエンコード部１７０に入力する。これにより、ＪＰＥＧエンコード部１５０は入力されたキャプチャした信号をＪＰＥＧデータにエンコードする。
【０１３２】
ＪＰＥＧエンコード部１７０によってエンコードされたデータは、ＪＰＥＧデータ保持部１８０に保持される。ＪＰＥＧデータ保持部１８０はＪＰＥＧデータをファイルとして保持される。
【０１３３】
実施の形態４において、映像記録装置１６０の本体に取り付けられた撮影開始ボタン（図示しない）が印加されると、撮影開始要求を示す信号が入出力部４０に通知される。入出力部４０は撮影開始要求を示す信号を受け取ると記録再生制御部１５５に記録開始要求を通知する。
【０１３４】
記録再生制御部１５５は、映像記録装置１６０全体の制御に関する処理を行う。記録再生制御部１５５は記録開始要求の通知を受けると、映像信号エンコード部７０にエンコード処理に必要な情報を設定する。記録再生制御部１５５はＡＶストリーム保持部６０にＡＶストリーム情報を格納するためのファイルを作成するように指示し、ＡＶストリーム保持部６０はファイルを作成し、オープン状態にする。また、記録再生制御部１５５はＪＰＥＧデータ保持部１８０にＪＰＥＧデータを格納するためのファイルを作成ように指示し、ＪＰＥＧデータ保持部１８０はファイルを作成し、オープン状態にする。
【０１３５】
実施の形態４において、作成されるＪＰＥＧファイルとＡＶストリーム情報の関連は、拡張子を除くファイル名を同じにすることによって実現する。例えば、ＡＶストリームファイル名が”０００１０．ｍ２ｔｓ”であれば、ＪＰＥＧファイルは”０００１０．ｊｐｅｇ”とする。
【０１３６】
カメラ部３０より入出力部４０に入力された映像信号は、入出力部４０によって、記録再生制御部１５５に入力される。記録再生制御部１５５は入出力部４０に入力された映像信号を映像信号エンコード部７０に入力する処理を開始する。この処理より、カメラ部３０より映像記録装置１６０内に映像信号が入力されると、随時、入力された映像信号がＡＶエンコード部７０に出力される。
【０１３７】
記録再生制御部１５５は、映像信号をＡＶストリームエンコード部７０に入力する処理を開始する時に、記録再生制御部１５５に入力された映像信号の最初の１画像分の信号をキャプチャしておく。そして、記録再生制御部１５５はキャプチャした映像信号をＪＰＥＧエンコード部１７０に入力する。
【０１３８】
ＪＰＥＧエンコード部１７０は、入力されたキャプチャした信号をＪＰＥＧデータにエンコードし、ＪＰＥＧデータ保持部１８０に入力する。ＪＰＥＧデータ保持部１８０は入力されたＪＰＥＧデータを記録再生制御部１５５によって作成されたファイルに書き込む。書き込みが終了すると、記録再生制御部１５５はＪＰＥＧデータ保持部１８０に指示を出し、ＪＰＥＧファイルをクローズする。
【０１３９】
映像情報エンコード部は、入力された映像信号をＡＶストリーム情報にエンコードする。ＡＶストリーム情報のフォーマットは、例えば、ＭＰＥＧ−２のフォーマットとしてもよい。映像信号エンコード部７０によってエンコードされたＡＶストリーム情報は、ＡＶストリーム保持部６０に出力される。ＡＶストリーム情報が入力されるとＡＶストリーム保持部６０は、入力されたＡＶストリーム情報を記録再生制御部１５５によって作成を指示されたファイルに書き込む。
【０１４０】
映像記録装置１６０の本体に取り付けられた撮影停止ボタン（図示しない）が印加されると、撮影停止要求を示す信号が入出力部４０に通知される。入出力部４０は撮影停止要求を示す信号を受け取ると記録再生制御部１５５に記録停止要求を通知する。記録再生制御部１５５は、記録停止要求の通知を受けると、入出力部４０に入力された映像信号を映像信号エンコード部７０に入力する処理を停止する。
【０１４１】
次に記録再生制御部１５５は、記録のファイナライズ処理を行う。記録再生制御部１５５はＡＶストリーム保持部６０に記録していたＡＶストリームファイルをクローズするようにＡＶストリーム保持部６０に依頼し、ＡＶストリーム保持部６０はファイルをクローズし、ファイルへの書き込みを終了する。
【０１４２】
以上で説明した処理により、実施の形態４の映像記録装置１６０はＡＶストリーム情報とＡＶストリーム情報の先頭の画像のＪＰＥＧデータを得る。
【０１４３】
次に、実施の形態４におけるダビング処理を説明する。
【０１４４】
図２２は実施の形態４におけるダビング処理をフローチャート化した図である。図２２において、図１５と同じ構成要素については同じ符号を用い、説明を省略する。
【０１４５】
実施の形態４において、ダビングを行う対象の全てのＡＶストリーム情報がＡＶストリーム保持部６０に保持されており、かつ、ダビングを行う対象の全てのＪＰＥＧデータがＪＰＥＧデータ保持部１８０に保持されているものとする。
【０１４６】
実施の形態４においての参照情報のフォーマットは実施の形態３と同様である。
【０１４７】
参照情報の使い方においての実施の形態３との差異は、参照情報のメンバであるディスク参照情報の使い方である。実施の形態３では、ユーザが入力した文字列をディスク参照キーワードとして設定していたが、実施の形態４においては、ディスク参照キーワードに光ディスクに記録するＡＶストリーム情報の先頭をエンコードしたＪＰＥＧファイルのファイル名を設定する。
【０１４８】
ステップＳ９００において、記録再生制御部１５５はステップＳ１４０にて光ディスクに記録した最初のＡＶストリーム情報のファイル名と関連がある、すなわち、拡張子を除くファイル名が同じであるＪＰＥＧファイルを探し、当該のＪＰＥＧファイルを光ディスク２０に記録する。記録再生制御部１５５は記録するＪＰＥＧファイルをＪＰＥＧデータ保持部より取得し、入出力部４０に入力する。入出力部４０は記録再生制御部１５５より入力された参照情報を光ディスクドライブ１０に入力する。光ディスクドライブ１０は入出力部４０より入力されたＪＰＥＧファイルを、光ディスク２０に書き込む。
【０１４９】
ステップＳ９００が終了すると、ステップＳ９１０に遷移し、参照情報の再構成を行う。ステップＳ９１０では実施の形態１におけるステップＳ１５０とは異なり、光ディスクに記録したＪＰＥＧファイル名をディスク参照キーワードとして、参照情報を再構成する。
【０１５０】
図２３は実施の形態４における参照情報再構成処理をフローチャート化した図である。図２３において、図１６と同じ構成要素については同じ符号を用い、説明を省略する。
【０１５１】
ステップＳ９２０において、参照キーワードの作成を行う。ステップＳ９２０では実施の形態３におけるステップＳ８００とは異なり、光ディスクにダビングしたＡＶストリーム情報の先頭の映像信号をエンコードしたＪＰＥＧファイルのファイル名をディスク参照キーワードとして、参照キーワードを作成する。
【０１５２】
図２４は本発明の実施の形態４における参照キーワードの作成処理をフローチャート化した図である。図２４において、図１７と同じ構成要素については同じ符号を用い、説明を省略する。ステップＳ９３０において、参照情報再構成部９０はステップＳ９００にて光ディスクに記録したＪＰＥＧファイル名をもとにディスク参照キーワードを作成する。ステップＳ９３０で用いるＪＰＥＧファイル名はステップＳ９１０に処理が遷移する際に、記録再生制御部１５５から参照情報再構成部１９０に入力されるようにしても良い。
【０１５３】
以上により、光ディスクに書き込むＡＶストリーム情報の先頭の映像信号をエンコードしたＪＰＥＧファイルのファイル名をディスク参照キーワードとして、ダビング処理を行うことができる。
【０１５４】
次に、ユーザにディスク参照情報を表示する方法を説明する。まず、記録再生制御部１５５は再生する参照情報を取得する。すなわち、記録再生制御部１５５は入出力部４０に光ディスク１０より参照情報を読み込むように依頼する。読み込み依頼があると、入出力部４０は、光ディスクドライブ１０に光ディスク２０から参照情報の読み込みを依頼する。読み込み依頼があると、光ディスクドライブ１０は光ディスク２０から参照情報を読み出し、入出力部４０に出力する。入出力部４０は、入力された参照情報を記録再生制御部５０に出力する。
【０１５５】
実施の形態４では、ダビングしたディスク毎に、参照情報を表示する。
【０１５６】
記録再生制御部１５５はグラフィクス生成部１４０に、参照情報内のディスク識別ＩＤとして記録されている文字列と、グラフィクス表示情報保持部１４５に保持されたグラフィクス表示情報を組み合わせ、組み合わせたグラフィクス表示情報をグラフィクス生成部１４０に入力する。グラフィクス生成部１４０は記録再生制御部１５５から入力されたグラフィクス表示情報を基にグラフィック映像信号を生成し、映像合成部１３０に出力する。
【０１５７】
次に、記録再生制御部１５５は参照情報内のディスク参照キーワードとして記録されているＪＰＥＧファイル名と同じ名前のＪＰＥＧファイルをＪＰＥＧデータ保持部１８０より取得する。記録再生制御部１５５は取得したＪＰＥＧファイルをＪＰＥＧデコード部２００に入力し、ＪＰＥＧデコード部２００はＪＰＥＧデータをデコードした信号であるサムネイル画像信号を映像合成部１３０に出力する。
【０１５８】
映像合成部１３０は、ＡＶデコード部８０によってデコードされた映像信号が入力されていない場合、グラフィクス映像信号とサムネイル画像信号を合成した信号を表示部１５０に出力する。映像合成部１３０は、ＡＶデコード部８０によってデコードされた映像信号が入力されている場合、映像信号とのグラフィクス映像信号とのサムネイル画像信号とを合成し、合成した信号を表示部１５０に出力する。映像合成部１３０は、サムネイル画像信号をリサイズして、合成するようにしても良い。また、ＪＰＥＧデコード部２００に入力されたＪＰＥＧデータは予めリサイズされたものであっても良い。例えば、ＪＰＥＧエンコード部１７０にて、ＪＰＥＧデータにエンコードされる前の画像信号を予めリサイズしておき、ＪＰＥＧデータにエンコードした後のＪＰＥＧデータがリサイズされた状態にしておいても良い。
【０１５９】
参照情報を表示させる順番としては、例えば、最初にダビングしたディスクから表示し、映像記録装置１６０の本体に取り付けられたＮｅｘｔボタン（図示しない）が印加されると、ダビングした順番（昇順）に参照情報のグラフィクスを表示させてもよい。
【０１６０】
Ｎｅｘｔボタンが押されると次のディスクの参照情報、すなわち、参照情報内に記録されている２枚目のエントリーのディスク参照情報と、参照情報から得られるＪＰＥＧファイルより、２枚目のディスクの参照情報を表示するグラフィクスとサムネイルの画像を、上記１枚目の場合と同様に生成する。任意のｉ番目の参照情報を表示される場合には、まず、記録再生制御部１５５は参照情報内に記録されているｉ番目のエントリーのディスク参照情報と予め用意されたグラフィクス表示情報とを基にグラフィクス表示情報を作成し、グラフィクス生成部１４０に入力する。次に、記録再生制御部１５５は参照情報から得られるＪＰＥＧファイルをＪＰＥＧデコード部２００に入力し、サムネイル画像を生成する。ＪＰＥＧデコード部２００はサムネイル画像信号を映像合成部９０に出力する。映像合成部９０はグラフィクス生成部１４０から入力されたグラフィクス画像信号とサムネイル画像信号を合成し、表示部１５０に出力する。以上により、表示部１５０はディスク識別ＩＤの文字列とサムネイルの画像を表示する。
【０１６１】
上記のように、ユーザは煩雑な作業を行わなくても、映像記録装置１６０は参照情報再構成部９０によって再構成した参照情報をダビングする各ディスクに記録する。よって、ユーザは参照情報の表示画面を起動すると、ダビングした各光ディスクの内容をサムネイルによって認識することができる。また、映像記録装置１６０は少なくとも前方方向への参照を保証することが可能となり、ユーザの利便性を向上することができる。
【０１６２】
また、上記では最初に光ディスクに記録するＡＶストリーム情報の先頭画像のＪＰＥＧファイル名のみを参照情報に記述していたが、例えば、記録媒体に記録する全てのＡＶストリーム情報の先頭画像のＪＰＥＧファイルのファイル名を記述するようにしても良い。この場合、記録再生制御部１５５は、光ディスクにダビングする処理を行う際に、参照情報に記述したＪＰＥＧファイル名を持つ全てのＪＰＥＧファイルを入出力部４０に入力し、当該の光ディスク１０に記録することになる。
【０１６３】
また、以上で説明したように記録媒体に記録している参照情報を利用することによって、参照情報を画面に表示し、ユーザは他の記録媒体への参照が行うことができる。よって、記録媒体に記録されている参照情報を用いた参照情報の表示処理は、ダビングを行った前期の映像記録装置１６０と違う映像記録装置でも行える。例えば、記録媒体へのダビングを行う映像記録装置を映像記録装置Ａと呼称し、映像記録装置Ａとは別の映像記録装置を映像記録装置Ｂと呼称することにする。また、映像記録装置Ａは各々違う機会に、記録媒体ａと記録媒体ｂ、及び記録媒体ｃに、記載の順番にダビング処理を行ったものとする、映像記録媒体Ｂは、記録媒体ｃを再生している場合は、記録媒体ａ、記録媒体ｂに対する参照情報を表示することが可能であり、記録媒体ｂを再生している場合は記録媒体ａの参照情報を表示できる。すなわち、ユーザは、ダビングされた記録媒体を、ダビングをされた記録媒体をダビングした映像記録装置とは別の映像記録装置で再生した場合でも、少なくとも前方方向への参照を行うことができる。また、同様に、ユーザは実施の形態１の再生装置１００のような機器においても他の記録媒体への検索が行うことができる。
【０１６４】
（実施の形態５）
図２６は、本発明の実施の形態５における映像記録装置２１０の構成を示すブロック図である。図２６において、図１と同じ構成要素については同じ符号を用い、説明を省略する。
【０１６５】
実施の形態５の映像記録装置２１０と、実施の形態１における映像記録装置１の違いについて説明する。映像記録装置１においては、参照情報はダビング時に光ディスク２０へ書き込まれるのみであったが、映像記録装置２１０においては、参照情報同期処理をも行う。参照情報同期処理とは光ディスクに記録されたＡＶストリーム情報や参照情報にアクセスする機会に、光ディスクに記録されている参照情報と、参照情報保持部８０が保持する参照情報を同期される処理である。
【０１６６】
参照情報同期処理は、光ディスク２０に記録されている参照情報と参照情報保持部８０が保持している参照情報を比較する。比較の結果、前期光ディスク２０に記録されている参照情報がより新しい場合は参照情報保持部８０が保持する参照情報を更新するために参照情報保持部８０に保持されている参照情報を、光ディスク２０に記録されている参照情報に上書きする。比較の結果、参照情報保持部８０が保持する参照情報がより新しい場合は光ディスク２０に記録される参照情報を、参照情報保持部８０が保持する参照情報に上書きする処理である。
【０１６７】
参照情報同期部２２０は、参照情報同期処理を行う。
【０１６８】
実施の形態５における参照情報同期処理をフローチャート化したものを、図２６に示す。ステップＳ１０００において、記録制御部５０は入出力部４０に光ディスク参照情報を読み出すように依頼を出す。依頼を受け取ると、入出力部４０は、光ディスクドライブ１０に光ディスク２０から参照情報の読み込みを依頼する。読み込み依頼があると、光ディスクドライブ１０は光ディスク２０から参照情報の読み出し、入出力部４０に出力する。入出力部４０は、入力された参照情報を記録制御部５０に出力する。
【０１６９】
参照情報を取得すると記録制御部５０は参照情報を参照情報同期部２２０に出力することにより、参照情報同期部２２０は光ディスクに記録されている参照情報を得る。ステップＳ１０１０において、参照情報同期部２２０は参照情報保持部８０にアクセスし、参照情報を取得する。ステップＳ１０２０において、参照情報同期部２２０は、光ディスクから取得した参照情報が持つバージョンナンバーと、参照情報保持部８０から取得した参照情報が持つバージョンナンバーとを比較する。ステップＳ１０２０における比較の結果、参照情報のバージョンが同じである場合は、リターンする。ステップＳ１０２０における比較の結果、光ディスク２０の参照情報のバージョンの方が古い場合はステップＳ１０３０に遷移する。ステップＳ１０２０における比較の結果、光ディスク２０に記録されている参照情報のバージョンの方が新しい場合はステップＳ１０４０に遷移する。また、参照情報保持部８０が参照情報を持たない場合もステップＳ１０４０に遷移する。
【０１７０】
ステップＳ１０３０において、光ディスク２０に記録されている参照情報を、ステップＳ１０１０にて取得した参照情報保持部８０が保持する参照情報に更新する。参照情報同期部２２０は、記録制御部５０にステップＳ１０１０にて取得した参照情報を入力し、光ディスク２０に記録されている参照情報を上書きするように依頼する。依頼を受け取ると、記録制御部５０は入出力部４０に、入力された参照情報を出力し、光ディスク２０に記録されている参照情報に上書きするように依頼する。依頼を受け取ると、入出力部４０は、記録制御部５０より入力された参照情報を光ディスクドライブ１０に入力し、光ディスク２０に書き込むように依頼する。光ディスクドライブ１０は、光ディスク２０への書き込み依頼を受けると、光ディスク２０に記録されている参照情報を、入力された参照情報に書き込む。
【０１７１】
ステップＳ１０４０において、参照情報保持部８０が保持する参照情報を光ディスク２０に記録されている参照情報に上書きする。参照情報同期部２２０は、参照情報保持部８０にアクセスし、参照情報保持部８０が保持している参照情報をステップＳ１０００において取得した光ディスク２０に記録されている参照情報に上書きする。
【０１７２】
上記の参照情報同期処理により、過去にダビングした光ディスク２０は再生時に、当該の光ディスク２０に記録された参照情報を最新の参照情報に更新することが可能である。よって、参照情報同期処理によって最新の参照情報に更新された光ディスク２０は、当該の光ディスク２０がダビングされた機会以後にダビングされた光ディスクに対しても検索が可能になる。また、例えば、予期せぬ異常状態に陥るなどして、参照情報保持部８０の参照情報が失われたとしても、ステップＳ１０２０の比較処理によってステップＳ１０４０の処理に遷移し、参照情報保持部８０の保持している参照情報はステップＳ１０００において取得した光ディスク２０に記録されている参照情報に置き換えることが可能となる。これにより、参照情報の復旧を行うことができる。
【０１７３】
以上で記載したように、上記の参照情報同期処理により、光ディスク２０に記録される参照情報を、参照情報保持部８０が保持する最新の参照情報に更新することが可能となる。さらに、参照情報保持部８０が保持する参照情報が、例えば、不慮の異常処理のために失われえた場合でも、ディスクに記載されている参照情報を利用して復旧することができ、ユーザの利便性は向上する。また、参照情報同期処理を、記録媒体へのダビングを行った映像記録装置（映像記録装置Ａと呼称）とは違う映像記録装置（映像記録装置Ｂ）に対して行うことにより、ユーザは煩雑な操作を行うことなく、映像記録装置Ａが持つ参照情報を映像記録装置Ｂにコピーすることが可能になる。例えば、ユーザが映像記録装置の買い替えを行う際に、ユーザは古い映像記録装置でダビングした、すなわち、最新の参照情報を持つ記録媒体を、新しい映像記録装置で１度再生させるだけで、古い映像記録装置の参照情報を新しい映像記録装置に継承させることができる。これにより、ユーザは新しい映像記録装置でダビングした記録媒体から、古い映像記録装置でダビングした記録媒体に対して、参照が可能になる。
【０１７４】
（実施の形態６）
図２７は、本発明の実施の形態６における映像記録装置２２５の構成を示すブロック図である。図２７において、図２５、及び、図１０と同じ構成要素については同じ符号を用い、説明を省略する。
【０１７５】
参照情報同期処理の内容は、実施の形態５における参照情報同期処理をフローチャート化した図２６と同じである。
【０１７６】
上記の参照情報同期処理により、過去にダビングした光ディスク２０は再生時に、当該の光ディスク２０に記録された参照情報を最新の参照情報に更新することが可能である。よって、参照情報同期処理によって最新の参照情報に更新された光ディスク２０は、当該の光ディスク２０がダビングされた機会以後にダビングされた光ディスクに対しても検索が可能になる。また、例えば、予期せぬ異常状態に陥るなどして、参照情報保持部８０の参照情報が失われたとしても、ステップＳ１０２０の比較処理によってステップＳ１０４０の処理に遷移し、参照情報保持部８０の保持している参照情報はステップＳ１０００において取得した光ディスク２０に記録されている参照情報に置き換えることが可能となる。これにより、参照情報同期処理は参照情報の復旧をも兼ねることができる。
【０１７７】
以上で記載したように、上記の参照情報同期処理により、光ディスク２０に記録される参照情報を、参照情報保持部８０が保持する最新の参照情報に更新することが可能となる。さらに、参照情報保持部８０が保持する参照情報が、例えば、不慮の異常処理のために失われえた場合でも、ディスクに記載されている参照情報を利用して復旧することができ、ユーザの利便性は向上する。
【０１７８】
また、参照情報同期処理を、記録媒体へのダビングを行った映像記録装置（映像記録装置Ａと呼称）とは違う映像記録装置（映像記録装置Ｂ）に対して行うことにより、ユーザは煩雑な操作を行うことなく、映像記録装置Ａが持つ参照情報を映像記録装置Ｂにコピーすることが可能になる。
【０１７９】
例えば、ユーザが映像記録装置の買い替えを行う際に、ユーザは古い映像記録装置でダビングした、すなわち、最新の参照情報を持つ記録媒体を、新しい映像記録装置で１度再生させるだけで、古い映像記録装置の参照情報を新しい映像記録装置に継承させることができ、ユーザは新しい映像記録装置でダビングした記録媒体から、古い映像記録装置でダビングした記録媒体に対して、参照が可能になる。
【０１８０】
（実施の形態７）
図２８は、本発明の実施の形態７における映像記録装置２３０の構成を示すブロック図である。図２８において、図１４と同じ構成要素については同じ符号を用い、説明を省略する。
【０１８１】
実施の形態７の映像記録装置２３０は、参照情報同期処理を行う参照情報同期部２４０を持つ。
【０１８２】
実施の形態７における参照情報同期処理をフローチャート化したものを、図２９に示す。ステップＳ１１００において、記録再生制御部１５５は入出力部４０に光ディスク参照情報を読み出すように依頼を出す。入出力部４０は、光ディスクドライブ１０に光ディスク２０から参照情報の読み込みを依頼する。読み込み依頼があると、光ディスクドライブ１０は光ディスク２０から参照情報の読み出し、入出力部４０に出力する。入出力部４０は、入力された参照情報を記録再生制御部１５５に出力する。参照情報を取得すると記録再生制御部１５５は参照情報を参照情報同期部２４０に出力することにより、参照情報同期部２４０は光ディスクに記録されている参照情報を得る。
【０１８３】
ステップＳ１１１０において、参照情報同期部２４０は参照情報保持部８０にアクセスし、参照情報を取得する。ステップＳ１１２０において、参照情報同期部２４０は、光ディスクから取得した参照情報が持つバージョンナンバーと、参照情報保持部８０から取得した参照情報が持つバージョンナンバーとを比較する。ステップＳ１１２０における比較の結果、参照情報のバージョンが同じである場合は更新する必要がないので、リターンする。ステップＳ１１２０における比較の結果、光ディスク２０の参照情報のバージョンの方が古い場合はステップＳ１１３０に遷移する。比較した結果、光ディスク２０のバージョンの方が新しい場合はステップＳ１１４０に遷移する。また、参照情報保持部８０が参照情報を持たない場合もステップＳ１１４０に遷移する。
【０１８４】
ステップＳ１１３０において、光ディスク２０の参照情報をステップＳ１１１０にて取得した、参照情報保持部８０が保持する参照情報に更新する。参照情報同期部２４０は、記録再生制御部１５５にステップＳ１１１０にて取得した参照情報を入力し、光ディスク２０に記録されている参照情報を更新するように依頼する。依頼を受け取ると、記録再生制御部１５５は入出力部４０に、入力された参照情報を出力し、光ディスク２０に記録されている参照情報を更新ように依頼する。依頼を受け取ると、入出力部４０は、光ディスクドライブ１０に記録再生制御部１５５より入力された参照情報を入力し、光ディスク２０に書き込むように依頼する。光ディスクドライブ１０は、光ディスク２０への書き込み依頼を受けると、光ディスクに記録されている参照情報を、入力された参照情報に上書きする。
【０１８５】
ステップＳ１１４０において、参照情報保持部８０が保持する参照情報を光ディスク２０に記録されている参照情報に上書きする。参照情報同期部２４０は、参照情報保持部８０にアクセスし、参照情報保持部８０が保持している参照情報をステップＳ１１００において取得した光ディスク２０に記録されている参照情報に上書きする。
【０１８６】
上記の参照情報同期処理により、過去にダビングした光ディスク２０は再生時に、当該の光ディスク２０に記録された参照情報を最新の参照情報に更新することが可能である。よって、参照情報同期処理によって最新の参照情報に更新された光ディスク２０は、当該の光ディスク２０がダビングされた機会以後にダビングされた光ディスクに対しても検索が可能になる。また、例えば、予期せぬ異常状態に陥るなどして、参照情報保持部８０の参照情報が失われたとしても、ステップＳ１１２０の比較処理によってステップＳ１１４０の処理に遷移し、参照情報保持部８０の保持している参照情報はステップＳ１１００において取得した光ディスク２０に記録されている参照情報に置き換えることが可能となり、参照情報の復旧を行うことができる。
【０１８７】
以上で記載したように、上記の参照情報同期処理により、光ディスク１０に記録される参照情報を、参照情報保持部８０が保持する最新の参照情報に更新することが可能となる。さらに、参照情報保持部８０が保持する参照情報が、例えば、不慮の異常処理のために失われえた場合でも、ディスクに記載されている参照情報を利用して復旧することができ、ユーザの利便性は向上する。
【０１８８】
また、参照情報同期処理を、記録媒体へのダビングを行った映像記録装置（映像記録装置Ａと呼称）とは違う映像記録装置（映像記録装置Ｂ）に対して行うことにより、ユーザは煩雑な操作を行うことなく、映像記録装置Ａが持つ参照情報を映像記録装置Ｂにコピーすることが可能になる。例えば、ユーザが映像記録装置の買い替えを行う際に、ユーザは古い映像記録装置でダビングした、すなわち、最新の参照情報を持つ記録媒体を、新しい映像記録装置で１度再生させるだけで、古い映像記録装置の参照情報を新しい映像記録装置に継承させることができ、ユーザは新しい映像記録装置でダビングした記録媒体から、古い映像記録装置でダビングした記録媒体に対して、参照が可能になる。
【０１８９】
（実施の形態８）
図３０は、本発明の実施の形態８における映像記録装置２５０の構成を示すブロック図である。図３０において、図２１、及び、図２８と同じ構成要素については同じ符号を用い、説明を省略する。
【０１９０】
参照情報同期処理の内容は、実施の形態７における参照情報同期処理をフローチャート化した図２９と同じである。
【０１９１】
上記の参照情報同期処理により、過去にダビングした光ディスク２０は再生時に、当該の光ディスク２０に記録された参照情報を最新の参照情報に更新することが可能である。よって、参照情報同期処理によって最新の参照情報に更新された光ディスク２０は、当該の光ディスク２０がダビングされた機会以後にダビングされた光ディスクに対しても検索が可能になる。また、例えば、予期せぬ異常状態に陥るなどして、参照情報保持部８０の参照情報が失われたとしても、ステップＳ１１２０の比較処理によってステップＳ１１４０の処理に遷移し、参照情報保持部８０の保持している参照情報はステップＳ１１００において取得した光ディスク２０に記録されている参照情報に置き換えることが可能となり、参照情報の復旧を行うことができる。
【０１９２】
以上で記載したように、上記の参照情報同期処理により、光ディスク２０に記録される参照情報を、参照情報保持部８０が保持する最新の参照情報に更新することが可能となる。さらに、参照情報保持部８０が保持する参照情報が、例えば、不慮の異常処理のために失われえた場合でも、ディスクに記載されている参照情報を利用して復旧することができ、ユーザの利便性は向上する。
【０１９３】
また、参照情報同期処理を、記録媒体へのダビングを行った映像記録装置（映像記録装置Ａと呼称）とは違う映像記録装置（映像記録装置Ｂ）に対して行うことにより、ユーザは煩雑な操作を行うことなく、映像記録装置Ａが持つ参照情報を映像記録装置Ｂにコピーすることが可能になる。
【０１９４】
例えば、ユーザが映像記録装置の買い替えを行う際に、ユーザは古い映像記録装置でダビングした、すなわち、最新の参照情報を持つ記録媒体を、新しい映像記録装置で１度再生させるだけで、古い映像記録装置の参照情報を新しい映像記録装置に継承させることができ、ユーザは新しい映像記録装置でダビングした記録媒体から、古い映像記録装置でダビングした記録媒体に対して、参照が可能になる。
【０１９５】
（実施の形態９）
図３６は、本発明の実施の形態９における映像記録装置の構成を示すブロック図である。図３６において、図１４と同じ構成要素については同じ符号を用い、説明を省略する。
【０１９６】
実施の形態９の参照情報のフォーマットは、実施の形態１乃至実施の形態８までのものと異なり、グループという管理単位を持つ。このグループは、同じ機会にダビングしたディスク全てを１つの単位としたものである。実施の形態９の参照情報フォーマットを図３７に示す。参照情報は、グループ単位で管理されており、各グループの情報はグループ参照情報構造体に保持される。そのため、参照情報はグループの総数である総グループ数を保持する。
【０１９７】
グループ参照情報構造体は、グループ内ディスク枚数と、グループ参照キーワードとを持つ。グループ内ディスク枚数は、同じ機会にダビングされたディスク枚数を表す。グループ参照キーワードはそのグループの映像内容を説明する文字列である。また、グループ参照情報構造体は、そのグループに含まれるディスクの参照情報を内包する。
【０１９８】
実施の形態９の参照情報は、グループ参照キーワードを保持するため、実施の形態１乃至実施の形態８とは異なり、グループ単位での内容の参照が可能となる。
【０１９９】
映像記録装置２６０は、撮影した映像情報を記録する装置である。また、映像記録装置２６０は、記録した映像情報を再生する機能を備えている。入出力部４０は撮影開始要求を示す信号を受け取ると記録再生制御部２７０に記録開始要求を通知する。記録再生制御部２７０は、映像記録装置２６０全体の制御に関する処理を行う。記録再生制御部２７０は入出力部４０より記録開始要求の通知を受けると、映像信号エンコード部７０にエンコード処理に必要な情報を設定する。この情報には記録する信号の品質に関するパラメータであるビットレートなどが含まれる。記録再生制御部２７０はＡＶストリーム保持部６０にＡＶストリーム情報を格納するためのファイルを作成ように指示を出し、前期ＡＶストリーム保持部６０はファイルを作成し、オープン状態にする。
【０２００】
次に、記録再生制御部２７０は、カメラ部３０より入出力部４０に入力された映像信号を、随時、映像信号エンコード部７０に入力する処理を開始する。映像情報エンコード部７０は、入力された映像信号をＡＶストリーム情報にエンコードする。ＡＶストリーム情報のフォーマットは、例えば、ＭＰＥＧ−２のフォーマットとしてもよい。映像信号エンコード部７０によってエンコードされたＡＶストリーム情報は、ＡＶストリーム保持部６０に出力される。ＡＶストリーム情報が入力されるとＡＶストリーム保持部６０は、入力されたＡＶストリーム情報を記録再生制御部２７０によって作成を指示されたファイルに書き込む。
【０２０１】
映像記録装置２６０の本体に取り付けられた撮影停止ボタン（図示しない）が印加されると、撮影停止要求を示す信号が入出力部４０に通知される。入出力部４０は撮影開始要求を示す信号を受け取ると記録再生制御部２７０に記録開始要求を通知する。記録再生制御部２７０は記録停止要求の通知を入出力部４０より受けると、カメラ部３０より入力部４０に入力された映像信号を映像信号エンコード部７０に転送する処理を停止する。
【０２０２】
次に記録再生制御部２７０は記録のファイナライズ処理を行う。すなわち、ＡＶストリーム保持部６０はファイルをクローズし、ファイルへの書き込みを終了する。ＡＶストリームデコード部１２０は、ＡＶストリーム情報を映像信号にデコードし、映像信号を生成する。デコードするＡＶストリーム情報は、記録再生制御部５０がＡＶストリームデコード部１２０に入力する。記録再生制御部２７０は記録したＡＶストリーム情報を保持するＡＶストリーム保持部６０から再生するＡＶストリーム情報を取得し、ＡＶストリームデコード部１２０に入力する。
【０２０３】
ＡＶストリームデコード部１２０は、生成した映像信号を映像合成部１３０に出力する。
【０２０４】
グラフィクス生成部１４０は、グラフィクス表示情報から、グラフィクス画像信号を生成し、画像合成部１３０に出力する。
【０２０５】
実施の形態９におけるグラフィクス表示情報は、実施の形態１におけるグラフィクス表示情報と同様のものである。
【０２０６】
実施の形態９において、グラフィクス表示情報はグラフィクス表示情報保持部１４５に保持される。
【０２０７】
映像合成部１３０は、ＡＶストリームエンコード部７０から入力された映像信号とグラフィクス生成部１４０から入力されたグラフィクス映像信号を合成し、合成した信号を表示部１５０に出力する。表示部１５０はモニタ等を持ち、入力され信号に基づいて、映像を表示する。映像合成部１３０は、表示部１５０の表示画面上において、映像が表示される領域以外の余白の領域に黒ミュートがかかるように映像信号を合成して、表示部１５０に出力してもよい。映像合成部１３０にグラフィクス映像信号が入力されない場合、映像合成部１３０はＡＶデコード部８０によってデコードされた映像信号のみを表示部１５０に出力するようにしても良い。また、ＡＶデコード部８０によってデコードされた映像信号が映像合成部１３０に入力されない場合、映像合成部１３０はグラフィクス映像信号のみを表示部１５０に出力するようにしても良い。表示部１５０は映像合成部１３０によって入力された映像信号の映像を表示する。
【０２０８】
次に、ＡＶストリーム保持部６０に保持されているＡＶストリーム情報を光ディスク２０にダビングする、ダビング処理を説明する。実施の形態９においては、ダビングを行う対象の全てのＡＶストリーム情報がＡＶストリーム保持部６０に保持されているものとする。
【０２０９】
図３８は実施の形態９におけるダビング処理をフローチャート化した図である。図１５と同じ処理ステップについては同じ符号を用い、説明は省略する。ステップＳ７４０が終了すると、ステップＳ１３００に遷移し、参照情報の再構成を行う参照情報再構成処理を行う。
【０２１０】
図３９は参照情報再構成処理をフローチャート化したものである。ステップＳ１３１０において、参照キーワード作成処理を行う。図４０は参照キーワード作成処理をフローチャート化したものである。図４０において、図１７と同じ構成要素については同じ符号を用い、説明を省略する。実施の形態９において、ユーザはただ１度だけキーワードを入力するだけでよく、後は参照情報再構成部２８０が、入力なしで自動的にキーワードを作成する。例えば、ユーザは、「２００８年秋の旅行」と１度入力するとする。すると、この文字列を基にグループ参照キーワードが生成される。そして、文字列を基に、ディスク参照キーワードは自動的にナンバリングされる。この例の場合、１枚目にダイビングするディスクのディスク参照キーワードには、「２００８年秋の旅行＿１」、２枚目にダビングするディスクには「２００８年秋の旅行＿２」という具合に自動的にキーワードを作成される。ディスク識別ＩＤについても同様である。
【０２１１】
まず、最初にダビングを行うディスクの場合にのみ、ユーザにキーワードを入力させるように条件分岐を行う。ステップＳ１２００において、ユーザがキーワードを入力したかどうかを判定し、入力がなされている場合はステップＳ８２０に遷移し、入力がなされていない場合はステップＳ１２３０に遷移する。ユーザがキーワードを入力していない場合、ステップＳ８２０において、ディスク参照キーワードの入力画面を生成し、ステップＳ１２１０において、ユーザが入力した文字列を保持しておく。
【０２１２】
次に、ステップＳ１２１５において、ステップＳ１２１０で保持されている文字列を基にグループ参照キーワードを生成する。例えば、ステップＳ１２１０で保持されている文字列をそのまま、グループ参照キーワードに採用しても良い。次に、ステップＳ８３０において、ディスク参照キーワードの入力画面を生成し、ステップＳ１２２０において、ユーザが入力した文字列を保持しておく。次に、ステップＳ１２３０において、ステップＳ１２１０にて記憶した文字列を基にディスク参照キーワードを作成する。このとき、作成するディスク参照キーワードが何枚目にダビングするディスクなのかによって、ナンバリングする数字を決定し、この決定した数字を付与する形にてディスク参照キーワードを作成する。
【０２１３】
ステップＳ１２４０において、ステップＳ１２２０にて記憶した文字列を基にディスク識別ＩＤを作成する。このとき、作成するディスク識別ＩＤが何枚目にダビングするディスクなのかによって、ナンバリングする数字を決定し、この決定した数字を付与する形にてディスク識別ＩＤを作成する。ステップＳ１２４０が終了するとリターンされ、参照情報再構成処理のステップＳ１３２０に遷移する。次に、ステップＳ１３２０において、記録再生制御部２７０はステップＳ１３１０にて作成されたディスクの参照キーワードとグループ参照キーワードを参照情報再構成部２８０に入力し、参照情報の再構成を依頼する。
【０２１４】
ステップＳ１３３０において、参照情報再構成部２８０は記録再生制御部２７０より参照情報の再構成を依頼されると、参照情報保持部８０に対して、参照情報が保持されているかを問い合わせる。
【０２１５】
ステップＳ１３４０において、ステップＳ５２０における問い合わせの結果を基に処理を分岐させる。すなわち、参照情報再構成部２７０は、参照情報保持部８０が参照情報を保持していない場合はダビングはまだ行われていないことになるので、ステップＳ１３５０の参照情報を新規作成する処理に遷移し、参照情報保持部８０が参照情報を保持している場合は、ステップＳ１３６０の参照情報を再構成する処理に遷移する。ステップＳ１３５０において、参照情報再構成部２７０は参照情報を新規に作成する。このとき、参照情報再構成部２７０は、バージョンナンバーに”１”を設定する。ステップＳ１３６０において、参照情報再構成部２８０は参照情報保持部８０にアクセスして、参照情報を取得する。
【０２１６】
ステップＳ１３７０において、これから参照キーワードを作成しようとするディスクは、今回ダビングするディスクの中で最初のディスク、すなわち、グループの先頭のディスクであるかどうかを判定する。もし、グループの先頭のディスクであれば、グループ参照キーワードを作成する必要があるので、ステップＳ１３８０に遷移する。そうでなければ、ステップＳ１３９０に遷移する。
【０２１７】
ステップＳ１３８０において、参照情報再構成部２８０は各ディスクのグループ参照情報が配列構造となるように、図３７の参照情報のグループ参照情報の後ろに新しくディスク参照情報を作成する。新しく作成したグループ参照情報のメンバであるグループ参照キーワードにＳ１２１５にて保持された文字列を設定する。さらに、参照情報再構成部２８０はグループ内ディスク枚数に、ステップＳ７００にて計算したディスク枚数を設定する。
【０２１８】
ステップＳ１３９０において、参照情報再構成部２８０は各ディスクのディスク参照情報が配列構造となるように、図３７の参照情報のディスク参照情報の後ろに新しくディスク参照情報を作成する。新しく作成したディスク参照情報のメンバであるディスク識別ＩＤにステップＳ１２２０にて保持された文字列を設定し、ディスク参照キーワードにＳ１２１０にて保持された文字列を設定する。
【０２１９】
ステップＳ１４００において、参照情報再構成部２８０は参照情報保持部８０にアクセスし、参照情報保持部８０が保持する参照情報をステップＳ１３１０乃至ステップＳ１３９０にて作成した参照情報で上書きする。
【０２２０】
参照情報再構成処理が終了すると、ダビング処理はステップＳ７６０に遷移する。ステップＳ７６０において、記録再生制御部２７０は参照情報保持部８０にアクセスし、ステップＳ７５０で再構成した参照情報を取得する。ステップＳ７７０において、光ディスク２０に参照情報を書き込む。記録再生制御部２７０は入出力部４０に取ステップＳ７６０にて取得した参照情報を出力する。入出力部４０は、光ディスクドライブ１０に入力し、光ディスクドライブ１０に書き込み処理を依頼する。光ディスクドライブ１０は参照情報の光ディスク２０への書き込み依頼を受け取ると、光ディスクドライブ１０に参照情報を書き込む。
【０２２１】
ステップ７８０において、全てのディスクへのダビングが完了したかどうかを判定し、処理を分岐させる。すなわち、全てのディスクへのダビングが完了した場合は、ダビング処理を終了し、全てのディスクへのダビングが完了していない場合は、ステップＳ７１０に遷移する。次に、ダビングしたディスクに記録されているＡＶストリーム情報を再生する方法を説明する。
【０２２２】
記録再生制御部２７０は、再生するＡＶストリーム情報を取得する。記録再生制御部２７０は入出力部４０に光ディスクからＡＶストリーム情報を読み込む依頼を出す。入出力部４０は、記録再生制御部からの依頼があると、光ディスクドライブ１０に光ディスク２０からＡＶストリーム情報の読み込みを依頼する。読み込み依頼があると、光ディスクドライブ１０は光ディスク２０からＡＶストリーム情報の読み出し、入出力部４０に入力する。入出力部４０は入力されたＡＶストリーム情報を記録再生制御部２７０に出力する。
【０２２３】
次に、記録再生制御部２７０はＡＶストリーム情報をＡＶストリームデコード部１２０に出力する。
【０２２４】
ＡＶストリームデコード部１２０は入力されたＡＶストリーム情報を映像信号にデコードし、動画映像合成部１３０に出力する。映像合成部１３０は、グラフィクス生成部１４０からグラフィック映像信号を入力されていない場合は、ＡＶストリームデコード部１２０から入力された映像信号のみを表示部１５０に出力する。
【０２２５】
次にユーザに各ディスクへの参照情報を表示する方法を示す。まず、記録再生制御部２７０は再生する参照情報を取得する。すなわち、記録再生制御部２７０は入出力部に対して、光ディスクからのデータ読み込みを依頼する。依頼を受けると入出力部は光ディスクドライブ１０に光ディスク２０から参照情報の読み込みを依頼する。読み込み依頼があると、光ディスクドライブ１０は光ディスク２０から参照情報を読み出し、記録再生制御部２７０に出力する。
【０２２６】
実施の形態９では、ダビングしたディスク毎に、参照情報を表示する。
【０２２７】
各ディスクへの参照情報は、グラフィクス生成部１４０によって参照情報を表示するグラフィクス映像信号を生成し、最終的には表示部１５０に表示する。
【０２２８】
実施の形態９では、各ディスクへの参照情報を表示するグラフィクス映像信号を作成するためのグラフィクス表示情報は、予め準備されたグラフィクス表示情報と、参照情報内に記述された参照キーワードの文字列を組み合わせて作成される。また、予め準備されたグラフィクス表示情報はグラフィクス参照情報保持部１４５に保持される。
【０２２９】
記録再生制御部２７０は、予め準備されたグラフィクス表示情報と、さらに取得した参照情報内の参照情報内のディスク識別ＩＤの文字列と参照情報内のディスク参照キーワードの文字列を組み合わせて作成する。記録再生制御部２７０は、グラフィクス生成部１４０に、作成したグラフィクス表示情報をグラフィクス生成部１４０に出力する。グラフィクス生成部１４０は記録再生制御部５０から入力されたグラフィクス表示情報を基にグラフィック映像信号を生成し、映像合成部１３０に出力する。グラフィクス生成部１４０は記録再生制御部２７０からグラフィクス表示情報を基にグラフィック映像信号を生成し、映像合成部１３０に出力する。映像合成部１３０に、ＡＶデコード部８０によってデコードされた映像信号が入力されていない場合、映像合成部１３０はグラフィクス映像信号のみを表示部１５０に出力する。映像合成部１３０に、ＡＶデコード部８０によってデコードされた映像信号が入力されている場合、映像合成部１３０は映像信号とグラフィクス映像信号を合成し、合成後の信号を表示部１５０に出力する。
【０２３０】
表示部１５０は、映像合成部１３０によって入力された映像信号の映像を表示する。また、実施の形態９における、参照情報はグループ参照情報キーワードも持つ。このため、実施の形態９における映像記録装置２６０は、グループ単位の参照情報を表示部１５０に表示することができる。
【０２３１】
実施の形態９では、各グループへの参照情報を表示するグラフィクス映像信号を作成するためのグラフィクス表示情報は、予め準備されたグラフィクス表示情報と、参照情報内に記述された参照キーワードの文字列を組み合わせて作成される。また、予め準備されたグラフィクス表示情報はグラフィクス参照情報保持部１４５に保持される。
【０２３２】
記録再生制御部２７０は、グラフィクス表示情報保持部１４５と、ディスクに記録されている参照情報内のグループ参照キーワードとして記録されている文字列を組み合わせて、グラフィクス生成部１４０に入力するグラフィクス表示情報を作成する。記録再生制御部２７０は作成したグラフィクス表示情報をグラフィクス生成部１４０に出力する。グラフィクス生成部１４０は記録再生制御部２７０から入力されたグラフィクス表示情報を基にグラフィック映像信号を生成し、映像合成部１３０に出力し、結果、表示部１５０に出力され、表示される。
【０２３３】
参照情報の表示画面の遷移方法としては、例えば、図４１に示すような方法を用いても良い。すなわち、グループ単位での参照情報の表示を行う階層と、ディスク単位に参照情報の表示を行う階層の２つに分ける方法である。この２つの階層間の遷移は、映像記録装置２６０の本体に取り付けられた決定ボタン（図示しない）と戻るボタン（図示しない）によって行う。グループ単位の参照情報の表示画面は、映像記録装置２６０の本体に取り付けられたＮｅｘｔボタン（図示しない）とＰｒｅｖボタン（図示しない）によって遷移が行われる。すなわち、Ｎｅｘｔボタン（図示しない）が押されると、ダビングした順番（昇順）での次のグループの参照情報の表示画面に遷移する。Ｐｒｅｖボタン（図示しない）が押されると、ダビングした順番（昇順）での１つ前のグループの参照情報の表示画面に遷移する。同様に、ディスク単位の参照情報の表示画の遷移も、映像記録装置２６０の本体に取り付けられたＮｅｘｔボタン（図示しない）とＰｒｅｖボタン（図示しない）によって行われる。
【０２３４】
上記では、任意のディスクの再生中に、自分が属していないグループのディスクの参照情報を表示している。ただし、自分が属していないグループについてはグループ参照情報のみ表示し、ディスクの参照情報は表示できないようにしてもよい。上記のように、ユーザは煩雑な作業を行わなくても、映像記録装置２６０は参照情報再構成部２８０によって再構成した参照情報をダビングする各ディスクに記録することにより、少なくとも前方方向への参照を保証することが可能となり、ユーザの利便性を向上することができる。
【０２３５】
また、以上で説明したように記録媒体に記録している参照情報を利用することによって、参照情報を画面に表示し、ユーザは他の記録媒体、もしくは他のグループへの参照が行うことができるので、記録媒体に記録されている参照情報を用いた参照情報の表示処理は、ダビングを行った前期の映像記録装置と違う映像記録装置でも行える。さらに、ユーザはただ１度だけキーワードを入力するだけで、後は入力なしで自動的に参照情報を作成することができるので、ユーザのキーワード入力の手間を低減することができる。また、同様に、ユーザは実施の形態１の再生装置１００のような機器においても他の記録媒体への検索が行うことができる。
【０２３６】
（実施の形態１０）
図４２は、本発明の実施の形態１０における映像記録装置２９０の構成を示すブロック図である。図４２において、図３６と同じ構成要素については同じ符号を用い、説明を省略する。
【０２３７】
実施の形態１０における参照情報再構成部３００は、実施の形態９での参照情報再構成部２８０での参照情報再構成処理に加えて、次再生対象Ｉｎｄｅｘ生成処理を行うことを兼ねる。記録再生制御部３１０は、映像記録装置２９０全体の制御に関する処理を行う。
【０２３８】
次再生対象Ｉｎｄｅｘ生成処理とは、例えば、あるグループの再生が終了した後、次に再生するべきグループを設定する処理である。これにより、ダビングを行うユーザは、自分が意図した順番で記録媒体の再生・閲覧を行うように、記録媒体の再生・閲覧に促すことができる。例えば、現在再生しているグループの再生が終了したタイミングで、図４３に示すような画面を閲覧者に提示することにより、次に再生してほしいグループの最初のディスクの再生を促すことができる。この例の場合、Ｙｅｓが選択されたら、そのディスクのディスク識別ＩＤを画面に表示させるようにすれば良い。
【０２３９】
実施の形態１０においては、グループ単位で次に再生するべき対象の設定を行うようにする。図４４に実施の形態１０における参照情報のフォーマットを示す。次再生対象Ｉｎｄｅｘとは現在再生中のグループの最後のディスクの再生が終了した後に、次に再生するべきグループのｉｎｄｅｘ、すなわち最初から何番目なのかを示す変数である。
【０２４０】
実施の形態１０におけるダビング処理は、参照情報再構成処理を除いて、実施の形態９で説明した処理と同様である。
【０２４１】
図４５に実施の形態１０の参照情報再構成処理のフローチャートを示す。図３９と同じ処理内容のものは同じ符号を使い、説明を省略する。ステップＳ１４１０において、参照情報再構成部３００は各ディスクのグループ参照情報が配列構造となるように、図４４の参照情報のグループ参照情報の後ろに新しくディスク参照情報を作成する。新しく作成したグループ参照情報のメンバであるグループ参照キーワードにＳ１２１５にて保持された文字列を設定する。さらに、参照情報再構成部３００はグループ内ディスク枚数に、ステップＳ７００にて計算したディスク枚数を設定する。また、参照情報再構成部３００は次再生対象Ｉｎｄｅｘ生成処理に初期値０を設定する。
【０２４２】
次に実施の形態１０における、次再生対象Ｉｎｄｅｘ生成処理について説明する。
【０２４３】
実施の形態１０においては、ユーザに次再生対象Ｉｎｄｅｘを設定させる。例えば、表示部１５０に、”順番付けを行いたいグループを入力してください”と表示させて、ユーザに入力を促すようにしてもよい。表示を行うためのグラフィクス表示は予めグラフィクス表示情報保持部１４５に保持しておく。記録再生制御部３１０は表示のためのグラフィクス表示情報をグラフィクス表示情報保持部１４５より取得し、グラフィクス生成部１４０に入力する。グラフィクス生成部１４０はグラフィクス表示情報が入力されると、グラフィクス画像信号を生成し、映像合成部１３０に出力される。映像合成部１３０はグラフィクス画像信号を、必要であれば、ＡＶデコード部１２０より入力された映像信号と合成し、表示部１５０に出力する。
【０２４４】
ユーザよりユーザ入力があると、入力部４０より記録再生装置２９０内に取り込まれる。このときのユーザ入力には、再生終了後に再生するべきグループの表示行うグループ（遷移元）の識別情報と次に再生するグループ（遷移先）の識別情報を含む。入力部４０に入力されたユーザ入力は記録再生制御部３１０に入力される。そして、記録再生制御部３１０に入力されたユーザ入力は参照情報再構成部３００に入力される。参照情報再構成部３００にユーザ入力が入力されると参照情報再構成部３００は次再生対象Ｉｎｄｅｘ生成処理を行う。
【０２４５】
まず、参照情報再構成部３００は参照情報保持部８０より参照情報を取得する。このとき取得できなければエラーとし、次再生対象Ｉｎｄｅｘ生成処理を終了してもよい。次に、参照情報再構成部３００は取得した参照情報の遷移元グループに属する次再生対象Ｉｎｄｅｘに、遷移先のグループのＩｎｄｅｘ、すなわち、最初から数えて何番目かの値を設定する。最後に、参照情報再構成部３００は参照情報保持部８０にアクセスし、参照情報を次再生対象Ｉｎｄｅｘ生成処理の参照情報となるように上書きする。
【０２４６】
次にあるグループの再生が終了した後、次に再生するべきグループの表示を行う処理について説明する。記録再生制御部３１０は参照情報保持部８０にアクセスし、参照情報を取得する。記録再生制御部３１０は、取得した参照情報内の、再生を終了したグループのグループ参照情報の次再生対象Ｉｎｄｅｘを得る。このとき、次再生対象Ｉｎｄｅｘが初期値であれば、処理を終了する。次再生対象Ｉｎｄｅｘが初期値でない場合は、次再生対象Ｉｎｄｅｘを元に、次に再生するように促す表示画面を表示させる。この表示画面を作成するためのグラフィクス表示情報は予めグラフィクス表示情報保持部１４５に保持されているものとする。
【０２４７】
記録再生制御部３１０は次再生対象Ｉｎｄｅｘにて識別されるグループ参照情報を検索し、当該のグループ参照情報のグループ識別キーワードを得る。記録再生制御部３１０は表示のためのグラフィクス表示情報をグラフィクス表示情報保持部１４５より取得する。記録再生制御部３１０は取得したグラフィクス表示情報と次再生対象Ｉｎｄｅｘから割り出したグループ参照キーワードをマージする。
【０２４８】
記録再生制御部３１０は、マージ後のグラフィクス表示情報をグラフィクス生成部１４０に入力する。グラフィクス生成部１４０はグラフィクス表示情報が入力されると、グラフィクス画像信号を生成し、映像合成部１３０に出力される。映像合成部１３０はグラフィクス画像信号を、必要であれば、ＡＶデコード部１２０より入力された映像信号と合成し、表示部１５０に出力する。
【０２４９】
以上により、あるグループの再生が終了した後、次に再生するべきグループの参照情報を閲覧・再生している第３者に提示することができる。これにより、ダビングしたユーザは、記録媒体を再生する第３者に対して、自分が意図した順番で記録媒体の再生を行うように促すことができる。
【０２５０】
また、実施の形態１０においては、ステップＳ１４１０にて、次再生対象Ｉｎｄｅｘに初期値０を設定していたが、例えば”１”や、一つ前のグループの順番といった値を設定するようにしてもよい。さらに、一つ前のグループ参照情報の次再生対象Ｉｎｄｅｘに現在のグループのＩｎｄｅｘ（順番）を設定するようにしても良い。
【０２５１】
尚、実施の形態１０においては、グループ単位にて再生順番の設定を行うようにしたが、ディスク単位にて行うようにしてもよい。この場合の参照情報のフォーマットは、ディスク参照情報ごとに次再生対象Ｉｎｄｅｘを定義するデータ構造になる。
【０２５２】
尚、実施の形態７の参照情報再構成部９０は、実施の形態９の参照情報再構成処理を行うようにしても良い。
【０２５３】
尚、実施の形態８の参照情報再構成部９０は、実施の形態９の参照情報再構成処理を行うようにしても良い。
【０２５４】
尚、実施の形態７の参照情報再構成部９０は、実施の形態１０の参照情報再構部３００のように、次再生対象Ｉｎｄｅｘ生成処理を兼ねるようにしても良い。
【０２５５】
尚、実施の形態８の参照情報再構成部９０は、実施の形態１０の参照情報再構部３００のように、次再生対象Ｉｎｄｅｘ生成処理を兼ねるようにしても良い。
【０２５６】
尚、実施の形態９、及び実施の形態１０における参照情報は図４６に示すように、参照ポインターによってリンクされたリスト構造にしても良い。
【０２５７】
尚、実施の形態５、及び、実施の形態６の映像記録装置２１０においては、参照情報同期部２２０と記録制御部５０を別のブロックとして構成したが、参照情報同期部２２０を記録制御部５０に含ませるように構成するようにしても良い。
【０２５８】
尚、実施の形態７及び、実施の形態８の映像記録装置２３０においては、参照情報同期部２４０と記録再生制御部１５５を別のブロックとして構成したが、参照情報同期部２４０を記録再生制御部１５５に含ませるように構成するようにしても良い。
【０２５９】
尚、実施の形態１における映像記録装置１は、当該の装置の外部の表示部１５０と接続する構成であったが、表示部１５０を映像記録装置１に内蔵するようにしても良い。
【０２６０】
尚、実施の形態２における映像記録装置１５２は、当該の装置の外部の表示部１５０と接続する構成であったが、表示部１５０を映像記録装置１に内蔵するようにしても良い。
【０２６１】
尚、実施の形態３における映像記録装置１５４は、当該の装置の外部の表示部１５０と接続する構成であったが、表示部１５０を映像記録装置１５４に内蔵するようにしても良い。
【０２６２】
尚、実施の形態４における映像記録装置１６０は、当該の装置の外部の表示部１５０と接続する構成であったが、表示部１５０を映像記録装置１６０に内蔵するようにしても良い。
【０２６３】
尚、実施の形態５における映像記録装置２１０は、当該の装置の外部の表示部１５０と接続する構成であったが、表示部１５０を映像記録装置１に内蔵するようにしても良い。
【０２６４】
尚、実施の形態６における映像記録装置２２５は、当該の装置の外部の表示部１５０と接続する構成であったが、表示部１５０を映像記録装置１に内蔵するようにしても良い。
【０２６５】
尚、実施の形態７における映像記録装置２３０は、当該の装置の外部の表示部１５０と接続する構成であったが、表示部１５０を映像記録装置１に内蔵するようにしても良い。
【０２６６】
尚、実施の形態８における映像記録装置２５０は、当該の装置の外部の表示部１５０と接続する構成であったが、表示部１５０を映像記録装置１に内蔵するようにしても良い。
【０２６７】
尚、実施の形態９における映像記録装置２６０は、当該の装置の外部の表示部１５０と接続する構成であったが、表示部１５０を映像記録装置１に内蔵するようにしても良い。
【０２６８】
尚、実施の形態１０における映像記録装置２９０は、当該の装置の外部の表示部１５０と接続する構成であったが、表示部１５０を映像記録装置１に内蔵するようにしても良い。
【０２６９】
尚、実施の形態１における映像記録装置１は、光ディスクドライブ１０を内蔵するように構成されているが、映像記録装置１の外部に光ディスクドライブを用意し、例えば、ＵＳＢケーブルにて、接続されるように構成しても良い。
【０２７０】
尚、実施の形態２における映像記録装置１５２は、光ディスクドライブ１０を内蔵するように構成されているが、映像記録装置１の外部に光ディスクドライブを用意し、例えば、ＵＳＢケーブルにて、接続されるように構成しても良い。
【０２７１】
尚、実施の形態３における映像記録装置１５４は、光ディスクドライブ１０を内蔵するように構成されているが、映像記録装置１の外部に光ディスクドライブを用意し、例えば、ＵＳＢケーブルにて、接続されるように構成しても良い。
【０２７２】
尚、実施の形態４における映像記録装置１６０は、光ディスクドライブ１０を内蔵するように構成されているが、映像記録装置１の外部に光ディスクドライブを用意し、例えば、ＵＳＢケーブルにて、接続されるように構成しても良い。
【０２７３】
尚、実施の形態５における映像記録装置２１０は、光ディスクドライブ１０を内蔵するように構成されているが、映像記録装置１の外部に光ディスクドライブを用意し、例えば、ＵＳＢケーブルにて、接続されるように構成しても良い。
【０２７４】
尚、実施の形態６における映像記録装置２２５は、光ディスクドライブ１０を内蔵するように構成されているが、映像記録装置１の外部に光ディスクドライブを用意し、例えば、ＵＳＢケーブルにて、接続されるように構成しても良い。
【０２７５】
尚、実施の形態７における映像記録装置２３０は、光ディスクドライブ１０を内蔵するように構成されているが、映像記録装置１の外部に光ディスクドライブを用意し、例えば、ＵＳＢケーブルにて、接続されるように構成しても良い。
【０２７６】
尚、実施の形態８における映像記録装置２５０は、光ディスクドライブ１０を内蔵するように構成されているが、映像記録装置１の外部に光ディスクドライブを用意し、例えば、ＵＳＢケーブルにて、接続されるように構成しても良い。
【０２７７】
尚、実施の形態９における映像記録装置２６０は、光ディスクドライブ１０を内蔵するように構成されているが、映像記録装置１の外部に光ディスクドライブを用意し、例えば、ＵＳＢケーブルにて、接続されるように構成しても良い。
【０２７８】
尚、実施の形態１０における映像記録装置２９０は、光ディスクドライブ１０を内蔵するように構成されているが、映像記録装置１の外部に光ディスクドライブを用意し、例えば、ＵＳＢケーブルにて、接続されるように構成しても良い。
【０２７９】
尚、実施の形態１における映像記録装置１は、ＡＶスリーム情報と参照情報をダビングする記録媒体として光ディスクを用いたが、他の種類の記録媒体を、例えば、ＳＤカードのようなカード型の筐体に半導体メモリが格納されたメモリカードを用いるようにしても良い。
【０２８０】
尚、実施の形態１における映像記録装置１５２は、ＡＶスリーム情報と参照情報をダビングする記録媒体として光ディスクを用いたが、他の種類の記録媒体を、例えば、ＳＤカードのようなカード型の筐体に半導体メモリが格納されたメモリカードを用いるようにしても良い。
【０２８１】
尚、実施の形態３における記録映像記録装置１５４は、ＡＶスリーム情報と参照情報をダビングする記録媒体として光ディスクを用いたが、他の種類の記録媒体を、例えば、ＳＤカードのようなカード型の筐体に半導体メモリが格納されたメモリカードを用いるようにしても良い。
【０２８２】
尚、実施の形態４における再生映像表示部１６０は、ＡＶスリーム情報と参照情報をダビングする記録媒体として光ディスクを用いたが、他の種類の記録媒体を、例えば、ＳＤカードのようなカード型の筐体に半導体メモリが格納されたメモリカードを用いるようにしても良い。
【０２８３】
尚、実施の形態５における映像記録装置２１０は、ＡＶスリーム情報と参照情報をダビングする記録媒体として光ディスクを用いたが、他の種類の記録媒体を、例えば、ＳＤカードのようなカード型の筐体に半導体メモリが格納されたメモリカードを用いるようにしても良い。
【０２８４】
尚、実施の形態６における映像記録装置２２５は、ＡＶスリーム情報と参照情報をダビングする記録媒体として光ディスクを用いたが、他の種類の記録媒体を、例えば、ＳＤカードのようなカード型の筐体に半導体メモリが格納されたメモリカードを用いるようにしても良い。
【０２８５】
尚、実施の形態７における映像記録装置２３０は、ＡＶスリーム情報と参照情報をダビングする記録媒体として光ディスクを用いたが、他の種類の記録媒体を、例えば、ＳＤカードのようなカード型の筐体に半導体メモリが格納されたメモリカードを用いるようにしても良い。
【０２８６】
尚、実施の形態８における映像記録装置２５０は、ＡＶスリーム情報と参照情報をダビングする記録媒体として光ディスクを用いたが、他の種類の記録媒体を、例えば、ＳＤカードのようなカード型の筐体に半導体メモリが格納されたメモリカードを用いるようにしても良い。
【０２８７】
尚、実施の形態９における映像記録装置２６０は、ＡＶスリーム情報と参照情報をダビングする記録媒体として光ディスクを用いたが、他の種類の記録媒体を、例えば、ＳＤカードのようなカード型の筐体に半導体メモリが格納されたメモリカードを用いるようにしても良い。
【０２８８】
尚、実施の形態１０における映像記録装置２９０は、ＡＶスリーム情報と参照情報をダビングする記録媒体として光ディスクを用いたが、他の種類の記録媒体を、例えば、ＳＤカードのようなカード型の筐体に半導体メモリが格納されたメモリカードを用いるようにしても良い。
【０２８９】
尚、実施の形態１において、カメラ部３０によって得られた映像信号をＡＶストリームエンコード部７０によってエンコードされたＡＶストリーム情報をダビング処理に使用していたが、入出力部４０を介して光ディスクやメモリカードなどの着脱可能な記憶媒体より読み込まれ、ＡＶストリーム保持部６０に保持されているものでも良い。または、インターネットを含むネットワークを介して、入出力部４０に入力され、ＡＶストリーム保持部６０に保持されていたものであっても良い。
【０２９０】
尚、実施の形態３において、カメラ部３０によって得られた映像信号をＡＶストリームエンコード部７０によってエンコードされたＡＶストリーム情報をダビング処理に使用していたが、入出力部４０を介して光ディスクやメモリカードなどの着脱可能な記憶媒体より読み込まれ、ＡＶストリーム保持部６０に保持されているものでも良い。または、インターネットを含むネットワークを介して、入出力部４０に入力され、ＡＶストリーム保持部６０に保持されていたものであっても良い。
【０２９１】
尚、実施の形態４において、カメラ部３０によって得られた映像信号をＡＶストリームエンコード部７０によってエンコードされたＡＶストリーム情報をダビング処理に使用していたが、入出力部４０を介して光ディスクやメモリカードなどの着脱可能な記憶媒体より読み込まれ、ＡＶストリーム保持部６０に保持されているものでも良い。または、インターネットを含むネットワークを介して、入出力部４０に入力され、ＡＶストリーム保持部６０に保持されていたものであっても良い。
【０２９２】
尚、実施の形態５において、カメラ部３０によって得られた映像信号をＡＶストリームエンコード部７０によってエンコードされたＡＶストリーム情報をダビング処理に使用していたが、入出力部４０を介して光ディスクやメモリカードなどの着脱可能な記憶媒体より読み込まれ、ＡＶストリーム保持部６０に保持されているものでも良い。または、インターネットを含むネットワークを介して、入出力部４０に入力され、ＡＶストリーム保持部６０に保持されていたものであっても良い。
【０２９３】
尚、実施の形態７において、カメラ部３０によって得られた映像信号をＡＶストリームエンコード部７０によってエンコードされたＡＶストリーム情報をダビング処理に使用していたが、入出力部４０を介して光ディスクやメモリカードなどの着脱可能な記憶媒体より読み込まれ、ＡＶストリーム保持部６０に保持されているものでも良い。または、インターネットを含むネットワークを介して、入出力部４０に入力され、ＡＶストリーム保持部６０に保持されていたものであっても良い。
【０２９４】
尚、実施の形態８において、カメラ部３０によって得られた映像信号をＡＶストリームエンコード部７０によってエンコードされたＡＶストリーム情報をダビング処理に使用していたが、入出力部４０を介して光ディスクやメモリカードなどの着脱可能な記憶媒体より読み込まれ、ＡＶストリーム保持部６０に保持されているものでも良い。または、インターネットを含むネットワークを介して、入出力部４０に入力され、ＡＶストリーム保持部６０に保持されていたものであっても良い。
【０２９５】
尚、実施の形態９において、カメラ部３０によって得られた映像信号をＡＶストリームエンコード部７０によってエンコードされたＡＶストリーム情報をダビング処理に使用していたが、入出力部４０を介して光ディスクやメモリカードなどの着脱可能な記憶媒体より読み込まれ、ＡＶストリーム保持部６０に保持されているものでも良い。または、インターネットを含むネットワークを介して、入出力部４０に入力され、ＡＶストリーム保持部６０に保持されていたものであっても良い。
【０２９６】
尚、実施の形態１０において、カメラ部３０によって得られた映像信号をＡＶストリームエンコード部７０によってエンコードされたＡＶストリーム情報をダビング処理に使用していたが、入出力部４０を介して光ディスクやメモリカードなどの着脱可能な記憶媒体より読み込まれ、ＡＶストリーム保持部６０に保持されているものでも良い。または、インターネットを含むネットワークを介して、入出力部４０に入力され、ＡＶストリーム保持部６０に保持されていたものであっても良い。
【０２９７】
尚、実施の形態１において、参照キーワード作成処理は、本体に取り付けられたボタン（図示しない）を利用して映像記録装置１に入力された文字列を基に参照キーワードを作成していたが、インターネットやＢｌｕｅｔｏｏｔｈを含むネットワークを介して入出力部４０に入力された文字列を使って、参照キーワードを作成しても良い。例えば、携帯電話にて入力させた文字列を、ネットワークを介して映像記録装置１に入力させても良い。
【０２９８】
尚、実施の形態２において、参照キーワード作成処理は、本体に取り付けられたボタン（図示しない）を利用して映像記録装置１５２に入力された文字列を基に参照キーワードを作成していたが、インターネットやＢｌｕｅｔｏｏｔｈを含むネットワークを介して入出力部４０に入力された文字列を使って、参照キーワードを作成しても良い。例えば、携帯電話にて入力させた文字列を、ネットワークを介して映像記録装置１に入力させても良い。
【０２９９】
尚、実施の形態３において、参照キーワード作成処理は、本体に取り付けられたボタン（図示しない）を利用して映像記録装置１５４に入力された文字列を基に参照キーワードを作成していたが、インターネットやＢｌｕｅｔｏｏｔｈを含むネットワークを介して入出力部４０に入力された文字列を使って、参照キーワードを作成しても良い。例えば、携帯電話にて入力させた文字列を、ネットワークを介して映像記録装置１５４に入力させても良い。
【０３００】
尚、実施の形態４において、参照キーワード作成処理は、本体に取り付けられたボタン（図示しない）を利用して映像記録装置１６０に入力された文字列を基に参照キーワードを作成していたが、インターネットやＢｌｕｅｔｏｏｔｈを含むネットワークを介して入出力部４０に入力された文字列を使って、参照キーワードを作成しても良い。例えば、携帯電話にて入力させた文字列を、ネットワークを介して映像記録装置１６０に入力させても良い。
【０３０１】
尚、実施の形態５において、参照キーワード作成処理は、本体に取り付けられたボタン（図示しない）を利用して映像記録装置２１０に入力された文字列を基に参照キーワードを作成していたが、インターネットやＢｌｕｅｔｏｏｔｈを含むネットワークを介して入出力部４０に入力された文字列を使って、参照キーワードを作成しても良い。例えば、携帯電話にて入力させた文字列を、ネットワークを介して映像記録装置２１０に入力させても良い。
【０３０２】
尚、実施の形態６において、参照キーワード作成処理は、本体に取り付けられたボタン（図示しない）を利用して映像記録装置２２５に入力された文字列を基に参照キーワードを作成していたが、インターネットやＢｌｕｅｔｏｏｔｈを含むネットワークを介して入出力部４０に入力された文字列を使って、参照キーワードを作成しても良い。例えば、携帯電話にて入力させた文字列を、ネットワークを介して映像記録装置２２５に入力させても良い。
【０３０３】
尚、実施の形態７において、参照キーワード作成処理は、本体に取り付けられたボタン（図示しない）を利用して映像記録装置２３０に入力された文字列を基に参照キーワードを作成していたが、インターネットやＢｌｕｅｔｏｏｔｈを含むネットワークを介して入出力部４０に入力された文字列を使って、参照キーワードを作成しても良い。例えば、携帯電話にて入力させた文字列を、ネットワークを介して映像記録装置２３０に入力させても良い。
【０３０４】
尚、実施の形態８において、参照キーワード作成処理は、本体に取り付けられたボタン（図示しない）を利用して映像記録装置２３０に入力された文字列を基に参照キーワードを作成していたが、インターネットやＢｌｕｅｔｏｏｔｈを含むネットワークを介して入出力部４０に入力された文字列を使って、参照キーワードを作成しても良い。例えば、携帯電話にて入力させた文字列を、ネットワークを介して映像記録装置２５０に入力させても良い。
【０３０５】
尚、実施の形態９において、参照キーワード作成処理は、本体に取り付けられたボタン（図示しない）を利用して映像記録装置２６０に入力された文字列を基に参照キーワードを作成していたが、インターネットやＢｌｕｅｔｏｏｔｈを含むネットワークを介して入出力部４０に入力された文字列を使って、参照キーワードを作成しても良い。例えば、携帯電話にて入力させた文字列を、ネットワークを介して映像記録装置２５０に入力させても良い。
【０３０６】
尚、実施の形態１０において、参照キーワード作成処理は、本体に取り付けられたボタン（図示しない）を利用して映像記録装置２９０に入力された文字列を基に参照キーワードを作成していたが、インターネットやＢｌｕｅｔｏｏｔｈを含むネットワークを介して入出力部４０に入力された文字列を使って、参照キーワードを作成しても良い。例えば、携帯電話にて入力させた文字列を、ネットワークを介して映像記録装置２５０に入力させても良い。
【０３０７】
尚、実施の形態３乃至実施の形態１０において、参照情報のデータ構造は、図１２に示す実施の形態２のグラフィクス表示情報のデータ構造と同じようにしてもよい。
【０３０８】
尚、実施の形態１乃至実施の形態１０のダビング処理において、ダビングする対象のＡＶストリームはＡＶストリーム保持部６０に保持されているもののみを用いていたが、インターネットを含むネットワークを介して入出力部４０に入力されたＡＶストリームを光ディスクドライブ１０に入力し、光ディスク２０に記録するようにしても良い。
【０３０９】
尚、実施の形態１及至実施の形態１０において、ダビングする対象のＡＶストリームはＡＶストリーム保持部６０に保持されているもののみを用いていたが、インターネットやＢｌｕｅｔｏｏｔｈを含むネットワークを介して入出力部４０に入力されたＡＶストリームを用いても良い。
【０３１０】
尚、参照情報のメンバである参照情報キーワードとして、実施の形態１乃至実施の形態１０においてはユーザに入力させた文字列を、実施の形態４においては記録したＡＶストリーム情報に関連したサムネイルのＪＰＥＧファイル名を用いたが、設定する情報の種類について限定されるものではない。例えば、当該のＡＶストリーム情報の映像を撮影した日時であっても良いし、各記録媒体に予め割り振られたシリアルナンバーであっても良い。
【０３１１】
尚、実施の形態１乃至実施の形態１０においては参照情報のメンバである参照情報キーワードは各光ディスクに１つのみであったが、設定可能な参照情報キーワードの個数を限定するものではない。
【０３１２】
尚、実施の形態１乃至実施の形態１０においての参照情報では、ディスク単位に記録されている内容を記述していたが、ＡＶストリーム情報単位に記述するようにしても良い。例えば、光ディスクに記録する全てのＡＶストリーム情報を撮影した日付と時刻の全てを参照情報に記述しても良い。
【０３１３】
尚、実施の形態１乃至実施の形態８においての、ディスク単位で参照情報を表示していたが、別の表示形態にて表示するようにしても良い。
【０３１４】
尚、実施の形態１乃至実施の形態８における参照情報は、１つのディスクに関する情報を１つのエントリーとし、エントリーの配列として保持するようなデータ構造としていたが、図３２のようなリスト状のデータ構造としてもよい。すなわち、各エントリーが次のエントリーが記録されているアドレス（ポインター）を持つようにしてもよい。この場合、各エントリーへのアクセスは、先頭から順にアドレスをたどることにより行われる。図３２は単方向にのみアドレスをもつ構造になっているが、両方方向、すなわち、次エントリーのアドレスと１つ前のエントリーへのアドレスの両方を持つようにしても良い。
【０３１５】
尚、実施の形態１、及び、実施の形態５のダビング処理において、参照情報再構成処理を図２に示すステップＳ１１０を行う前に行い、さらに、参照情報再構成処理は図４に示すステップＳ５００の参照キーワード作成処理を、ステップＳ１００にて取得したダビングに必要なディスクの枚数分行うことによって、光ディスク２０への書き込みを行う前に、同じ機会にダビングする全てのディスクのディスク参照情報を含む参照情報を生成することができる。これにより、ダビングされた任意のディスクは、ディスク再生時に、同じ機会にダビングされた全てのディスクへの参照を行うことができる。
【０３１６】
尚、実施の形態２、及び、実施の形態６のダビング処理において、参照情報再構成処理を図１１に示すステップＳ１１０を行う前に行い、さらに、参照情報再構成処理は図４に示すステップＳ５００の参照キーワード作成処理を、ステップＳ１００にて取得したダビングに必要なディスクの枚数分行うことによって、光ディスク２０への書き込みを行う前に、同じ機会にダビングする全てのディスクのディスク参照情報を含む参照情報を生成することができる。これにより、ダビングされた任意のディスクは、ディスク再生時に、同じ機会にダビングされた全てのディスクへの参照を行うことができる。
【０３１７】
尚、実施の形態３、及び、実施の形態７のダビング処理において、参照情報再構成処理を図１５に示すステップＳ７１０を行う前に行い、さらに、参照情報再構成処理は図１５に示すステップＳ８００の参照キーワード作成処理を、ステップＳ７００にて取得したダビングに必要なディスクの枚数分行うことによって、光ディスク２０への書き込みを行う前に、同じ機会にダビングする全てのディスクのディスク参照情報を含む参照情報を生成することができる。これにより、ダビングされた任意のディスクは、ディスク再生時に、同じ機会にダビングされた全てのディスクへの参照を行うことができる。
【０３１８】
尚、実施の形態４、及び、実施の形態８のダビング処理において、参照情報再構成処理を図２２に示すステップＳ７１０を行う前に行い、さらに、参照情報再構成処理は図２３に示すステップＳ９２０の参照キーワード作成処理を、ステップＳ７００にて取得したダビングに必要なディスクの枚数分行うことによって、光ディスク２０への書き込みを行う前に、同じ機会にダビングする全てのディスクのディスク参照情報を含む参照情報を生成することができる。これにより、ダビングされた任意のディスクは、ディスク再生時に、同じ機会にダビングされた全てのディスクへの参照を行うことができる。
【０３１９】
尚、実施の形態９、及び、実施の形態１０のダビング処理において、参照情報再構成処理を図３８に示すステップＳ７１０を行う前に行い、さらに、参照情報再構成処理は図３９に示すステップＳ１３１０の参照キーワード作成処理を、ステップＳ７００にて取得したダビングに必要なディスクの枚数分行うことによって、光ディスク２０への書き込みを行う前に、同じ機会にダビングする全てのディスクのディスク参照情報を含む参照情報を生成することができる。これにより、ダビングされた任意のディスクは、ディスク再生時に、同じ機会にダビングされた全てのディスクへの参照を行うことができる。
【０３２０】
尚、実施の形態１乃至実施の形態８の一連のディスク再生処理において、ディスクの終了後に、次に再生するディスクを装置に挿入するように促す画面表示を行うようにしても良い。例えば、最後のディスク（一番最近にダビングしたのがＮ回目だとすると、Ｎ回目にダビングした中の最後尾のディスク）を再生が終了した時点で、図３３に示すような画面表示を出すことにより、図３４に示すように、次に最初のディスク（最初にダビングしたディスクの中の先頭のディスク）の再生を行うようにユーザを促すことができる。
【０３２１】
図３３に示すような表示を画面に出すには、予め決められたグラフィクス表示情報をグラフィクス生成部１４０に入力し、映像合成部１３０にグラフィクス画像を出力するようにすればよい。このとき、グラフィクス表示情報はディスク内に記録するようにしても良いし、グラフィクス表示情報保持部１４５に記録するようにしてもよい。また、再生終了後にディスクの挿入を促す画面表示を行うディスクと次に再生を行うように促すディスクは、任意に設定してもよい。
【０３２２】
尚、実施の形態１乃至及び実施の形態８の一連のダビング処理において、ユーザはただ１度だけキーワードを入力するだけで、後は入力なしで自動的にキーワードを作成するようにしてもよい。例えば、１度だけキーワードを入力すると、後は自動的に各ディスクに対してナンバリングを行うようにしてもよい。ユーザは、「２００８年秋の旅行」と１度入力すると、ディスク参照キーワードは自動的にナンバリングされ、１枚目にダイビングするディスクのディスク参照キーワードには、「２００８年秋の旅行＿１」、２枚目にダビングするディスクには「２００８年秋の旅行＿２」という具合に自動的にキーワードを作成するようにしてもよい。ディスク識別ＩＤについても同様にしてもよい。
【０３２３】
この場合、図３５で示す参照キーワード作成処理を行うことにより、実現できる。
【０３２４】
まず、最初にダビングを行うディスクの場合にのみ、ユーザにキーワードを入力させるように条件分岐を行う。ステップＳ１２００において、ユーザがキーワードを入力したかどうかを判定し、入力がなされている場合はステップＳ８２０に遷移し、入力がなされていない場合はステップＳ１２３０に遷移する。
【０３２５】
ユーザがキーワードを入力していない場合、ステップＳ８２０において、ディスク参照キーワードの入力画面を生成し、ステップＳ１２１０において、ユーザが入力した文字列を保持しておく。次に、ステップＳ８３０において、ディスク参照キーワードの入力画面を生成し、ステップＳ１２２０において、ユーザが入力した文字列を保持しておく。次に、ステップＳ１２３０において、ステップＳ１２１０にて記憶した文字列を基にディスク参照キーワードを作成する。このとき、作成するディスク参照キーワードが何枚目にダビングするディスクなのかによって、ナンバリングする数字を決定し、この決定した数字を付与する形にてディスク参照キーワードを作成する。
【０３２６】
ステップＳ１２４０において、ステップＳ１２２０にて記憶した文字列を基にディスク識別ＩＤを作成する。このとき、作成するディスク識別ＩＤが何枚目にダビングするディスクなのかによって、ナンバリングする数字を決定し、この決定した数字を付与する形にてディスク識別ＩＤを作成する。
【０３２７】
以上ように参照キーワード作成処理を行うことにより、ユーザはただ１度だけキーワードを入力するだけで、後は入力なしで自動的にキーワードを作成することができる。
【０３２８】
尚、実施の形態１乃至及び実施の形態１０の参照情報再構成部９０、映像エンコード部７０等の各機能ブロックは典型的には集積回路であるＬＳＩとして実現される。これらは個別に１チップ化されても良いし、一部又は全てを含むように１チップ化されても良い。
【０３２９】
ここでは、ＬＳＩとしたが、集積度の違いにより、ＩＣ、システムＬＳＩ、スーパーＬＳＩ、ウルトラＬＳＩと呼称されることもある。また、集積回路化の手法はＬＳＩに限るものではなく、専用回路又は汎用プロセッサで実現してもよい。ＬＳＩ製造後に、プログラムすることが可能なＦＰＧＡ（Ｆｉｅｌｄ  ＰｒｏｇｒａｍｍａｂｌｅＧａｔｅ  Ａｒｒａｙ）や、ＬＳＩ内部の回路セルの接続や設定を再構成可能なリコンフィギュラブル・プロセッサーを利用しても良い。さらには、半導体技術の進歩又は派生する別技術によりＬＳＩに置き換わる集積回路化の技術が登場すれば、当然、その技術を用いて機能ブロックの集積化を行ってもよい。バイオ技術の適応等が可能性としてありえる。
【０３３０】
尚、上述した実施の形態１乃至実施の形態１０の一連の処理は、ハードウェアにより実行させることもできるし、ソフトウエアにより実行させることもできる。この場合、例えば、図１の映像記録装置１は、図３１に示されるようなパーソナルコンピュータとして構成されるようにしてもよい。図３１において、パーソナルコンピュータ１０００のＣＰＵ１０１０は、ＲＯＭ１０２０に記憶されているプログラム、または記憶部１０３０からＲＡＭ１０４０にロードされたプログラムに従って各種の処理を実行する。
【０３３１】
ＲＡＭ１０４０にはまた、ＣＰＵ１０１０が各種の処理を実行する上において必要なデータなども適宜記憶される。ＣＰＵ１０１０、ＲＯＭ１０２０、およびＲＡＭ１０４０は、バス１０５０を介して相互に接続されている。このバス１０５０にはまた、入出力インタフェース１０６０も接続されている。入出力インタフェース１０６０には、キーボード、マウスなどよりなる入力装置部１０７０、ディスプレイ、並びにスピーカなどよりなる表示部１０９０、ハードディスクなどより構成される記憶部１０３０、モデムなどより構成される通信部１１００が接続されている。通信部１１００は、インターネットを含むネットワークを介しての通信処理を行う。入出力インタフェース１０６０にはまた、必要に応じてデータ入出力機構１１１０が接続され、磁気ディスク、光ディスク、光磁気ディスク、或いは半導体メモリなどの着脱可能な記憶媒体１１２０が適宜装着され、それらから読み出されたコンピュータプログラムが、必要に応じて記憶部１０３０にインストールされる。
【０３３２】
上述した一連の処理をソフトウエアにより実行させる場合には、そのソフトウエアを構成するプログラムが、ネットワークや記録媒体からインストールされる。この記録媒体は、例えば、図３１に示されるように、装置本体とは別に、ユーザにプログラムを配信するために配布される、プログラムが記録されている光ディスク、もしくは半導体メモリなどよりなる着脱可能な記録媒体１１２０により構成されるだけでなく、装置本体に予め組み込まれた状態でユーザに配信される、プログラムが記録されているＲＯＭ１０２０や、記憶部１０３０に含まれるハードディスクなどで構成される。プログラムには、記録した記録媒体の各々への参照情報を記憶部１０３０に格納する参照情報格納ステップと、参照情報を記憶部１０３０から取得し、過去に記録した参照情報に今回記録する記録媒体に関する参照情報を含ませるように参照情報を再構成する参照情報再構成ステップとが含まれているため、任意の記録媒体から、違う機会に記録した記録媒体への参照が可能になる。また、プログラムは、上記の参照情報同期処理に相当する参照情報同期ステップを含むようにしても良い。
【産業上の利用可能性】
【０３３３】
本発明にかかる映像記録装置は、新しく撮影した映像に対する参照情報を以前に記録した際に構成した参照情報に含ませるように参照情報を再構成する参照情報再構成部を有し、レコーダ、デジタルビデオカメラ等として有用である。
【図面の簡単な説明】
【０３３４】
【図１】本発明の実施の形態１における映像記録装置の構成図
【図２】本発明の実施の形態１におけるダビング処理を示すフローチャート
【図３】本発明の実施の形態１の参照情報のデータ構造を示す図
【図４】本発明の実施の形態１における参照情報再構成処理を示すフローチャート
【図５】本発明の実施の形態１の参照キーワード作成処理を示すフローチャート
【図６】本発明の実施の形態１の参照情報の一例を示した図
【図７】本発明の実施の形態１の参照情報の一例を示した図
【図８】本発明で実施の形態１における再生装置の構成図
【図９】本発明の実施の形態１のグラフィクス表示情報の説明する図
【図１０】本発明の実施の形態２における映像記録装置の構成図
【図１１】本発明の実施の形態２におけるダビング処理を示すフローチャート
【図１２】本発明の実施の形態２の参照情報のデータ構造を示す図
【図１３】本発明で実施の形態２における再生装置の構成図
【図１４】本発明の実施の形態３における映像記録装置の構成図
【図１５】本発明の実施の形態３におけるダビング処理を示すフローチャート
【図１６】本発明の実施の形態３における参照情報再構成処理を示すフローチャート
【図１７】本発明の実施の形態３の参照キーワード作成処理を示すフローチャート
【図１８】本発明の実施の形態３のディスク参照キーワードの入力画面のイメージ図
【図１９】本発明の実施の形態３のディスク識別ＩＤの入力画面のイメージ図
【図２０】本発明の実施の形態３における参照情報をグラフィクス化して表示した場合のイメージ図
【図２１】本発明の実施の形態４における映像記録装置の構成図
【図２２】本発明の実施の形態４におけるダビング処理を示すフローチャート
【図２３】本発明の実施の形態４における参照情報再構成処理を示すフローチャート
【図２４】本発明の実施の形態４の参照キーワード作成処理を示すフローチャート
【図２５】本発明の実施の形態５における映像記録装置の構成図
【図２６】本発明の実施の形態５における参照情報同期処理を示すフローチャート
【図２７】本発明の実施の形態６における映像記録装置の構成図
【図２８】本発明の実施の形態７における映像記録装置の構成図
【図２９】本発明の実施の形態７における参照情報同期処理を示すフローチャート
【図３０】本発明の実施の形態８における映像記録装置の構成図
【図３１】本発明を適応したパーソナルコンピュータの構成の一例を示した図
【図３２】本発明の実施の形態１から実施の形態８での参照情報のデータ構造の他の例を説明する図
【図３３】最新のディスクの再生が終了時点で表示する、ユーザに対して次に再生するディスクの選択を促す画面のイメージ図
【図３４】最新のディスクの再生が終了したあとの、再生するディスクの遷移の例を説明する図
【図３５】最初にユーザが入力したキーワードを基にナンバーリングする場合の参照キーワード作成処理を示すフローチャート
【図３６】本発明の実施の形態９における映像記録装置の構成図
【図３７】本発明の実施の形態９の参照情報のデータ構造を示す図
【図３８】本発明の実施の形態９におけるダビング処理のフローチャート
【図３９】本発明の実施の形態９における参照情報再構成処理のフローチャート
【図４０】実施の形態９における、参照キーワード作成処理のフローチャート
【図４１】実施の形態９における、参照情報の表示化面の遷移方法を説明する図
【図４２】本発明の実施の形態１０における映像記録装置の構成図
【図４３】実施の形態１０におけて、ユーザに対して次に再生するディスクの選択を促す画面イメージ図
【図４４】本発明の実施の形態１０の参照情報のデータ構造を示す図
【図４５】本発明の実施の形態９における参照情報再構成処理のフローチャート
【図４６】本発明の実施の形態９及び実施の形態１０での参照情報のデータ構造の他の例を説明する図
【符号の説明】
【０３３５】
１    映像記録装置
１０    光ディスクドライブ
２０    光ディスク
３０    カメラ部
４０    入出力部
５０    記録制御部
６０    ＡＶストリーム保持部
７０    映像信号エンコード部
８０    参照情報保持部
９０    参照情報再構成部
１００    再生装置
１１０    再生制御部
１２０    ＡＶストリームデコード部
１３０    映像合成部
１４０    グラフィクス生成部
１５０    表示部
１５２    映像記録装置
１５３    再生装置
１５４    映像記録装置
１５５    記録再生制御部
１６０    映像記録装置
１７０    ＪＰＥＧエンコード部
１８０    ＪＰＥＧデータ保持部
２００    ＪＰＥＧデコード部
２１０    映像記録装置
２２０    参照情報同期部
２２５    映像記録装置
２３０    映像記録装置
２４０    参照情報同期部
２５０    映像記録装置
２６０    映像記録装置
２７０    記録再生制御部
２８０    参照情報再構成部
２９０    映像記録装置
３００    参照情報再構成部
３１０    記録再生制御部
１０００    パーソナルコンピュータ
１０１０    ＣＰＵ
１０２０    ＲＯＭ
１０３０    記憶部
１０４０    ＲＡＭ
１０５０    バス
１０６０    入出力インタフェース
１０７０    ユーザ入力装置部
１０９０    表示部
１１００    通信部
１１１０    データ入出力機構
１１２０    着脱可能な記録媒体
【図１】
2012014748.tif 000003
【図２】
2012014748.tif 000004
【図３】
2012014748.tif 000005
【図４】
2012014748.tif 000006
【図５】
2012014748.tif 000007
【図６】
2012014748.tif 000008
【図７】
2012014748.tif 000009
【図８】
2012014748.tif 000010
【図９】
2012014748.tif 000011
【図１０】
2012014748.tif 000012
【図１１】
2012014748.tif 000013
【図１２】
2012014748.tif 000014
【図１３】
2012014748.tif 000015
【図１４】
2012014748.tif 000016
【図１５】
2012014748.tif 000017
【図１６】
2012014748.tif 000018
【図１７】
2012014748.tif 000019
【図１８】
2012014748.tif 000020
【図１９】
2012014748.tif 000021
【図２０】
2012014748.tif 000022
【図２１】
2012014748.tif 000023
【図２２】
2012014748.tif 000024
【図２３】
2012014748.tif 000025
【図２４】
2012014748.tif 000026
【図２５】
2012014748.tif 000027
【図２６】
2012014748.tif 000028
【図２７】
2012014748.tif 000029
【図２８】
2012014748.tif 000030
【図２９】
2012014748.tif 000031
【図３０】
2012014748.tif 000032
【図３１】
2012014748.tif 000033
【図３２】
2012014748.tif 000034
【図３３】
2012014748.tif 000035
【図３４】
2012014748.tif 000036
【図３５】
2012014748.tif 000037
【図３６】
2012014748.tif 000038
【図３７】
2012014748.tif 000039
【図３８】
2012014748.tif 000040
【図３９】
2012014748.tif 000041
【図４０】
2012014748.tif 000042
【図４１】
2012014748.tif 000043
【図４２】
2012014748.tif 000044
【図４３】
2012014748.tif 000045
【図４４】
2012014748.tif 000046
【図４５】
2012014748.tif 000047
【図４６】
2012014748.tif 000048